(57)【要約】【課題】ネットワークリソースの無駄な消費を防止するとともに、移動端末が各基地局からデータを受信するタイミングを相互に同じにする。【解決手段】通信システムは、移動端末５０によるデータ受信のタイミングが、複数の基地局４２，４３，４４との間で、相互に同じになるように、各交換装置が、交換装置と接続されている複数の装置にパケットデータを送信するタイミングを示す送信タイミングをそれぞれ決定するＭＰ上位交換装置２０と、各交換装置において、それぞれ、決定された送信タイミングに基づいて、複数の装置に対して、パケットデータを送信する通信部とを有する。【選択図】      図１
2004229117.tif 000002
【特許請求の範囲】
【請求項１】
通信端末装置が、複数の基地局を介して、移動端末にデータ送信を行う場合、前記通信端末装置と、前記複数の基地局との間の通信経路に含まれる複数の交換装置が、前記交換装置に接続されている複数の装置に対して、パケットデータのマルチキャスト送信を行う通信システムであって、
前記複数の交換装置のうち１又は複数の交換装置から、前記複数の基地局に前記パケットデータが送信されるのに必要な時間と、複数の交換装置のうち、１又は複数の交換装置から、前記交換装置と移動端末側に接続された交換装置に前記パケットデータが送信されるのに必要な時間とに基づいて、前記移動端末によるデータ受信のタイミングが、前記複数の基地局との間で、相互に同じになるように、各交換装置が、前記交換装置と接続されている複数の装置に前記パケットデータを送信するタイミングを示す送信タイミングをそれぞれ決定する第１決定手段と、
前記各交換装置において、それぞれ、前記第１決定手段により決定された送信タイミングに基づいて、前記交換装置と接続されている複数の装置に対して、前記パケットデータを送信する第１送信手段を有することを特徴とする通信システム。
【請求項２】
前記複数の交換装置のうち、前記通信経路内で最も前記通信端末装置側の交換装置である第１交換装置に送信されたパケットデータである送信対象パケットデータと、前記第１交換装置のマルチキャスト送信先の装置数とに基づいて、複数の無線スロットデータを生成する第１生成手段と、
各無線スロットデータをそれぞれ含む各パケットデータを生成する第２生成手段と
前記第１交換装置において、前記第２生成手段により生成された各パケットデータを、前記第１決定手段により決定された前記第１交換装置に対応する送信タイミングに基づいて、前記第１交換装置に接続されている複数の装置に送信する第２送信手段と、
前記複数の交換装置のうち、前記第１交換装置以外の交換装置である第２交換装置に送信された各パケットデータと、前記第２交換装置のマルチキャスト送信先の装置数とに基づいて、無線スロットデータを含むパケットデータを、複数、生成する第３生成手段と、
前記第２交換装置において、前記第３生成手段により生成された各パケットデータを、前記第１決定手段により決定された前記第２交換装置に対応する送信タイミングに基づいて、前記第２交換装置に接続されている複数の装置に送信する第３送信手段とを有し、
前記複数の基地局が、前記移動端末に、各パケットデータにそれぞれ含まれる各無線スロットデータを送信した場合、前記移動端末は、前記複数の基地局から送信された複数の無線スロットデータに基づいて、前記送信対象パケットデータを生成することを特徴とする請求項１に記載の通信システム。
【請求項３】
前記第１決定手段により決定された各送信タイミングに基づいて、前記移動端末によるデータ受信のタイミングが、前記複数の基地局との間で、相互に同じになるように、前記複数の基地局がそれぞれパケットデータを受信するタイミングを示す受信タイミングと、前記複数の交換装置のうち、前記通信経路内で最も前記通信端末装置側の交換装置である第１交換装置以外の交換装置である１又は複数の第２交換装置がパケットデータを受信するタイミングを示す受信タイミングと、をそれぞれ決定する第２決定手段と、
前記複数の基地局及び前記１又は複数の第２交換装置において、パケットデータを受信したタイミングと、前記第２決定手段により決定された受信タイミングとの差がある場合、前記差を示す差分情報を生成する差分情報生成手段と、
所定の交換装置において、所定の装置から前記差分情報を取得した場合、前記差分情報に基づいて、前記所定の装置が前記第２決定手段により決定された受信タイミングでパケットデータを受信できることに対応する所定の送信タイミングで、パケットデータを前記所定の装置に送信する第２送信手段とを有することを特徴とする請求項１に記載の通信システム。
【請求項４】
前記第２送信手段が、前記所定の送信タイミングで、パケットデータを前記所定の装置に送信できない場合、その旨を示す送信不能情報を、前記所定の交換装置と通信端末装置側に接続された交換装置である端末側交換装置に送信する第３送信手段と、
前記端末側交換装置において、前記送信不能情報に基づいて、前記第２送信手段が前記所定の送信タイミングでパケットデータを前記所定の装置に送信できることに対応する送信タイミングで、パケットデータを前記所定の交換装置に送信する第４送信手段とを有することを特徴とする請求項３に記載の通信システム。
【請求項５】
移動端末が複数の基地局を介して、通信端末装置にパケットデータ送信を行う場合、前記通信端末装置と前記複数の基地局までの通信経路に含まれる複数の交換装置が、前記交換装置に接続されている複数の装置から、パケットデータを受信する通信システムであって、
前記移動端末において、前記通信端末装置に送信する対象のパケットデータである送信対象パケットデータと、前記複数の基地局の数とに基づいて、各無線スロットデータを、送信順序を示す送信順序情報と対応づけて、生成する無線スロット生成手段と、
前記基地局において、各無線スロットデータを取得した場合、無線スロットデータと、前記無線スロットデータの受信品質を示す信頼度情報とを含むパケットデータを、無線スロットデータごとに、生成するパケット生成手段と、
前記基地局において、前記パケット生成手段により生成された複数のパケットデータを、前記基地局に接続されている交換装置に送信する第１送信手段と、
前記複数の交換装置のうち、前記通信経路内で最も通信端末装置側の交換装置である第１交換装置以外の交換装置である第２交換装置に、前記第２交換装置に接続されている複数の装置から各パケットデータが送信された場合、前記各パケットデータにそれぞれ含まれる各無線スロットデータのうち、前記各パケットデータに対応づけられた送信順序情報と信頼度情報とに基づいて、複数の無線スロットデータを選択する第１選択手段と、
前記第１選択手段により選択された各無線スロットデータをそれぞれ含む各パケットデータを、前記第２交換装置に接続されている交換装置に送信する第２送信手段と、
前記第１交換装置に、前記第１交換装置に接続されている複数の装置から各パケットデータが送信された場合、前記各パケットデータにそれぞれ含まれる各無線スロットデータのうち、前記各パケットデータに対応づけられた送信順序情報と信頼度情報とに基づいて、複数の無線スロットデータを選択する第２選択手段と、
前記第２選択手段により選択された複数の無線スロットデータに基づいて、前記送信対象パケットデータを生成する送信対象パケット生成手段と、
前記送信対象パケットデータを前記通信端末装置に送信する第３送信手段とを有することを特徴とする通信システム。
【請求項６】
前記第２選択手段が、前記各パケットデータにそれぞれ含まれる各無線スロットデータのうち、所定の複数の無線スロットデータを選択するとともに、所定の送信順序情報に対応する無線スロットデータを選択できない場合、前記移動端末に対して、前記所定の送信順序情報に対応する無線スロットデータの要求を送信する再送要求送信手段を有し、
前記移動端末から、前記所定の送信順序情報に対応する無線スロットデータを取得した場合、前記送信対象パケット生成手段は、取得された前記無線スロットデータと、前記第２選択手段により選択された前記所定の複数の無線スロットデータとに基づいて、前記送信対象パケットデータを生成することを特徴とする請求項５に記載の通信システム。
【請求項７】
通信端末装置が、複数の基地局を介して、移動端末にデータ送信を行う場合、複数の装置に対して、パケットデータのマルチキャスト送信を行うマルチキャスト交換装置であって、
前記通信端末装置と、前記複数の基地局との間の通信経路に含まれ、前記パケットデータのマルチキャスト送信を行う複数の交換装置のうち、１又は複数の交換装置から、前記複数の基地局に前記パケットデータが送信されるのに必要な時間と、前記複数の交換装置のうち、１又は複数の交換装置から、前記交換装置と移動端末側に接続された交換装置に前記パケットデータが送信されるのに必要な時間とに基づいて、前記移動端末によるデータ受信のタイミングが、前記複数の基地局との間で、相互に同じになるように、各交換装置が、前記交換装置と接続されている複数の装置に前記パケットデータを送信するタイミングを示す送信タイミングをそれぞれ決定する第１決定手段と、
前記第１決定手段により決定された各送信タイミングを、それぞれ、前記各交換装置に送信する第１送信手段と、
前記第１決定手段により決定された、前記マルチキャスト交換装置に対応する送信タイミングに基づいて、マルチキャスト送信先の複数の装置に対して、前記パケットデータを送信する第２送信手段を有することを特徴とするマルチキャスト交換装置。
【請求項８】
通信端末装置が、複数の基地局を介して、移動端末にデータ送信を行う場合、複数の装置に対して、パケットデータのマルチキャスト送信を行うとともに、前記移動端末と前記通信端末装置との間の通信経路に含まれ、前記マルチキャスト送信を行う複数の交換装置のうち、最も前記通信端末装置側の交換装置であるマルチキャスト交換装置であって、
前記通信端末装置と、前記複数の基地局との間の通信経路に含まれ、前記パケットデータのマルチキャスト送信を行う複数の交換装置のうち、１又は複数の交換装置から、前記複数の基地局に前記パケットデータが送信されるのに必要な時間と、前記複数の交換装置のうち、１又は複数の交換装置から、前記交換装置と移動端末側に接続された交換装置に前記パケットデータが送信されるのに必要な時間とに基づいて、前記移動端末によるデータ受信のタイミングが、前記複数の基地局との間で、相互に同じになるように、各交換装置が、前記交換装置と接続されている複数の装置に前記パケットデータを送信するタイミングを示す送信タイミングをそれぞれ決定する第１決定手段と、
前記第１決定手段により決定された各送信タイミングを、それぞれ、前記各交換装置に送信する第１送信手段と、
前記通信端末装置から送信されたパケットデータである送信対象パケットデータと、前記パケットデータのマルチキャスト送信先の装置数とに基づいて、複数の無線スロットデータを生成する第１生成手段と、
各無線スロットデータをそれぞれ含む各パケットデータを生成する第２生成手段と
前記第２生成手段により生成された各パケットデータを、前記第１決定手段により決定された前記マルチキャスト交換装置に対応する送信タイミングに基づいて、前記各パケットデータを、マルチキャスト送信先の複数の装置に対して、送信する第２送信手段とを有することを特徴とするマルチキャスト交換装置。
【請求項９】
前記第１決定手段により決定された各送信タイミングに基づいて、前記移動端末によるデータ受信のタイミングが、前記複数の基地局との間で相互に同じになるように、前記複数の基地局がそれぞれパケットデータを受信するタイミングを示す受信タイミングと、前記複数の交換装置のうち、前記通信経路内で最も前記通信端末装置側の交換装置以外の交換装置である１又は複数の下位マルチキャスト交換装置がパケットデータを受信するタイミングを示す受信タイミングと、をそれぞれ決定する第２決定手段と、
前記複数の基地局及び前記１又は複数の下位マルチキャスト交換装置において、パケットデータを受信したタイミングと、前記第２決定手段により決定された受信タイミングとの差がある場合、前記差を示す差分情報を生成した後、所定の下位マルチキャスト交換装置が所定の装置から前記差分情報を取得した場合、前記所定の装置が前記第２決定手段により決定された受信タイミングでパケットデータを受信できることに対応する所定の送信タイミングで、前記所定の下位マルチキャスト交換装置が、パケットデータを前記所定の装置に送信できないことを示す送信不能情報を取得する取得手段と、
前記送信不能情報に基づいて、前記所定の下位マルチキャスト交換装置が、前記所定の送信タイミングでパケットデータを前記所定の装置に送信できることに対応する送信タイミングで、パケットデータを前記所定の下位マルチキャスト交換装置に送信する第３送信手段とを有することを特徴とする請求項８に記載のマルチキャスト交換装置。
【請求項１０】
通信端末装置が、複数の基地局を介して、移動端末にデータ送信を行う場合、複数の装置に対して、パケットデータのマルチキャスト送信を行うとともに、前記移動端末と前記通信端末装置との間の通信経路に含まれ、前記マルチキャスト送信を行う複数の交換装置のうち、最も通信端末装置側の交換装置以外の交換装置であるマルチキャスト交換装置であって、
前記移動端末によるデータ受信のタイミングが、前記複数の基地局との間で、相互に同じになるように、前記複数の交換装置が、前記交換装置と接続されている複数の装置に対して、前記パケットデータを送信するタイミングを示す送信タイミングをそれぞれ決定する装置から、前記パケットデータの送信タイミングを取得する第１取得手段と、
前記最も通信端末装置側の交換装置が、前記通信端末装置から送信されたパケットデータである送信対象パケットデータと、前記最も通信端末装置側の交換装置のマルチキャスト送信先の装置数とに基づいて、複数の無線スロットデータを生成し、各無線スロットデータをそれぞれ含む各パケットデータを生成した場合、生成された各パケットデータを、取得する第２取得手段と、
前記第２取得手段により取得された各パケットデータと、マルチキャスト送信先の装置数とに基づいて、無線スロットデータを含むパケットデータを、複数、生成する生成手段と、
前記生成手段により生成された各パケットデータを、前記第１取得手段により取得された送信タイミングに基づいて、マルチキャスト送信先の複数の装置に対して、送信する第１送信手段とを有することを特徴とするマルチキャスト交換装置。
【請求項１１】
前記移動端末によるデータ受信のタイミングが、前記複数の基地局との間で、相互に同じになるように、前記複数の交換装置のうち、前記通信経路内で最も前記通信端末装置側の交換装置以外の交換装置である１又は複数の下位マルチキャスト交換装置がパケットデータを受信するタイミングを示す受信タイミングが決定された場合、前記マルチキャスト交換装置に対応する受信タイミングを取得する第３取得手段と、
パケットデータを受信したタイミングと、前記第３取得手段により取得された受信タイミングとの差がある場合、前記差を示す差分情報を生成する差分情報生成手段と、
前記差分情報を、前記マルチキャスト交換装置と通信端末装置側に接続されたマルチキャスト送信を行う交換装置に、送信する第２送信手段と、
前記移動端末によるデータ受信のタイミングが、前記複数の基地局との間で、相互に同じになるように、所定の装置がパケットデータを受信するタイミングを示す受信タイミングが決定された後、前記所定の装置が、前記受信タイミングを取得した場合、前記所定の装置がパケットデータを受信したタイミングと、前記受信タイミングとの差を示す差分情報を、前記所定の装置から取得する第４取得手段と、
前記第４取得手段により取得された差分情報に基づいて、前記所定の装置が前記受信タイミングでパケットデータを受信できることに対応する所定の送信タイミングで、パケットデータを前記所定の装置に送信する第３送信手段と、
前記第３送信手段が、前記所定の送信タイミングで、パケットデータを前記所定の装置に送信できない場合、その旨を示す送信不能情報を、前記マルチキャスト交換装置と通信端末装置側に接続されたマルチキャスト送信を行う交換装置に送信する第４送信手段とを有することを特徴とする請求項１０に記載のマルチキャスト交換装置。
【請求項１２】
移動端末が複数の基地局を介して、通信端末装置にパケットデータ送信を行う場合、複数の装置から、パケットデータを取得するとともに、前記移動端末と前記通信端末装置との間の通信経路に含まれ、複数の装置からパケットデータを取得する複数の交換装置のうち、最も通信端末装置側の交換装置以外の交換装置であるマルチキャスト交換装置であって、
前記移動端末が、前記通信端末装置に送信する対象のパケットデータである送信対象パケットデータと、前記複数の基地局の数とに基づいて、各無線スロットデータを、送信順序を示す送信順序情報と対応づけて、生成した後、各基地局が、各無線スロットデータを取得し、前記無線スロットデータと、前記無線スロットデータの受信品質を示す信頼度情報とを含むパケットデータを、無線スロットデータごとに生成した場合、生成された各パケットデータを、複数の装置から、取得する取得手段と、
前記各パケットデータにそれぞれ含まれる各無線スロットデータのうち、前記各パケットデータに対応づけられた送信順序情報と信頼度情報とに基づいて、複数の無線スロットデータを選択する選択手段と、
前記選択手段により選択された各無線スロットデータをそれぞれ含む各パケットデータを、前記マルチキャスト交換装置と通信端末装置側に接続され、複数の装置からパケットデータを取得する交換装置に対して、送信する送信手段とを有することを特徴とするマルチキャスト交換装置。
【請求項１３】
移動端末が複数の基地局を介して、通信端末装置にパケットデータ送信を行う場合、複数の装置から、パケットデータを取得するとともに、前記移動端末と前記通信端末装置との間の通信経路に含まれ、複数の装置からパケットデータを取得する複数の交換装置のうち、最も通信端末装置側の交換装置であるマルチキャスト交換装置であって、
前記移動端末が、前記通信端末装置に送信する対象のパケットデータである送信対象パケットデータと、前記複数の基地局の数とに基づいて、各無線スロットデータを、送信順序を示す送信順序情報と対応づけて、生成した後、各基地局が、各無線スロットデータを取得し、前記無線スロットデータと、前記無線スロットデータの受信品質を示す信頼度情報とを含むパケットデータを、無線スロットデータごとに生成した場合、生成された各パケットデータを、複数の装置から、取得する取得手段と、
前記各パケットデータにそれぞれ含まれる各無線スロットデータのうち、前記各パケットデータに対応づけられた送信順序情報と信頼度情報とに基づいて、複数の無線スロットデータを選択する選択手段と、
前記選択手段により選択された複数の無線スロットデータに基づいて、前記送信対象パケットデータを生成する生成手段と、
前記送信対象パケットデータを前記通信端末装置に送信する送信手段とを有することを特徴とするマルチキャスト交換装置。
【請求項１４】
通信端末装置が、複数の基地局を介して、移動端末にデータ送信を行う場合、前記通信端末装置と、前記複数の基地局との間の通信経路に含まれる複数の交換装置が、前記交換装置に接続されている複数の装置に対して、パケットデータのマルチキャスト送信を行う通信方法であって、
前記複数の交換装置のうち１又は複数の交換装置から、前記複数の基地局に前記パケットデータが送信されるのに必要な時間と、複数の交換装置のうち、１又は複数の交換装置から、前記交換装置と移動端末側に接続された交換装置に前記パケットデータが送信されるのに必要な時間とに基づいて、前記移動端末によるデータ受信のタイミングが、前記複数の基地局との間で、相互に同じになるように、各交換装置が、前記交換装置と接続されている複数の装置に前記パケットデータを送信するタイミングを示す送信タイミングをそれぞれ決定する決定ステップと、
前記各交換装置において、それぞれ、前記決定ステップにより決定された送信タイミングに基づいて、前記交換装置と接続されている複数の装置に対して、前記パケットデータを送信するステップとを有することを特徴とする通信方法。
【請求項１５】
移動端末が複数の基地局を介して、通信端末装置にパケットデータ送信を行う場合、前記通信端末装置と前記複数の基地局までの通信経路に含まれる複数の交換装置が、前記交換装置に接続されている複数の装置から、パケットデータを受信する通信方法であって、
前記移動端末において、前記通信端末装置に送信する対象のパケットデータである送信対象パケットデータと、前記複数の基地局の数とに基づいて、各無線スロットデータを、送信順序を示す送信順序情報と対応づけて、生成する第１生成ステップと、
前記基地局において、各無線スロットデータを取得した場合、無線スロットデータと、前記無線スロットデータの受信品質を示す信頼度情報とを含むパケットデータを、無線スロットデータごとに、生成する第２生成ステップと、
前記基地局において、前記第２生成ステップにより生成された複数のパケットデータを、前記基地局に接続されている交換装置に送信するステップと、
前記複数の交換装置のうち、前記通信経路内で最も通信端末装置側の交換装置である第１交換装置以外の交換装置である第２交換装置に、前記第２交換装置に接続されている複数の装置から各パケットデータが送信された場合、前記各パケットデータにそれぞれ含まれる各無線スロットデータのうち、前記各パケットデータに対応づけられた送信順序情報と信頼度情報とに基づいて、複数の無線スロットデータを選択する第１選択ステップと、
前記第１選択ステップにより選択された各無線スロットデータをそれぞれ含む各パケットデータを、前記第２交換装置に接続されている交換装置に送信するステップと、
前記第１交換装置に、前記第１交換装置に接続されている複数の装置から各パケットデータが送信された場合、前記各パケットデータにそれぞれ含まれる各無線スロットデータのうち、前記各パケットデータに対応づけられた送信順序情報と信頼度情報とに基づいて、複数の無線スロットデータを選択する第２選択ステップと、
前記第２選択ステップにより選択された複数の無線スロットデータに基づいて、前記送信対象パケットデータを生成するステップと、
前記送信対象パケットデータを前記通信端末装置に送信するステップとを有することを特徴とする通信方法。
【発明の詳細な説明】
【０００１】
【発明の属する技術分野】
本発明は、移動端末と通信端末装置との間の通信において、ソフトハンドオーバー処理が行われるとともに、マルチキャスト通信処理が行われる通信システム、マルチキャスト交換装置、通信方法に関する。
【０００２】
【従来の技術】
従来より、３ＧＰＰ（３ｒｄ  Ｇｅｎｅｒａｔｉｏｎ  Ｐａｒｔｎｅｒ  Ｐｒｏｊｅｃｔ）により標準化されている移動通信システムとしては、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）が存在する。このＵＭＴＳにおいては、無線通信経路の多重化方式として、Ｗ−ＣＤＭＡ方式が用いられている。また、このＵＭＴＳにおいては、移動端末のハンドオーバー方式として、ソフトハンドオーバー方式（ダイバーシチハンドオーバー方式）が用いられている。このソフトハンドオーバー方式においては、加入者線延長方式が用いられている。そして、このＵＭＴＳにおいては、例えば、通信端末装置と移動端末との間でデータ通信が行われるとき、移動端末によるソフトハンドオーバー処理が行われている場合、マルチキャスト通信を行う装置（移動端末と通信端末装置との間の通信経路に存在する装置、以下、マルチパスポイント装置という）は、変化しない。即ち、このＵＭＴＳにおいては、移動端末が移動して無線通信相手の基地局を切り替えた場合でも、常に、通信端末装置から送信されたデータは、上記マルチパスポイント装置を介して、移動端末に送信される。
【０００３】
ここで、上記ＵＭＴＳは、ＣＮ部（コアネットワーク部）と、ＲＡＮ部（無線アクセスネットワーク部）とを有する。そして、上記ＵＭＴＳにおいては、マルチパスポイント装置となるのは、ＲＡＮ部内に配置された無線ネットワーク制御装置（Ｒａｄｉｏ  Ｎｅｔｗｏｒｋ  Ｃｏｎｔｒｏｌｌｅｒ  以下、ＲＮＣという）である。そして、上記ＵＭＴＳを用いて、１つの移動端末と１つの通信端末装置との間のデータ通信を行う場合、マルチパスポイント装置の数は、１つである（例えば、非特許文献１参照）。
【０００４】
このようなＵＭＴＳを用いた通信システムを用いた処理の一例の説明は、以下のとおりである。図１８、図１９は、上記通信システムを用いた処理を説明するための図である。以下、これらの図を用いて、上記説明を行う。通信システムは、通信端末装置２１０と、通信端末装置２１０と公衆ネットワーク（図示せず）を介して接続されている移動加入者交換装置（ＭＳＣ又はＳＧＳＮ）２２０と、移動加入者交換装置２２０と接続された複数のＲＮＣ２３１、２３２と、各ＲＮＣと接続（スター型に接続）された複数の基地局２４１、２４２．．と、複数の基地局と無線通信を行う移動端末２５０とを有する。
【０００５】
この通信システムでは、移動端末２５０によるソフトハンドオーバー処理が行われており、移動端末２５０は複数の基地局２４２，２４３と無線通信を行える状態となっている。ここで、移動加入者交換装置２２０を有するネットワークは、ＣＮ部に対応する。なお、ＣＮ部は、この移動加入者交換装置２２０と通信端末側に接続された移動関門交換装置（図示せず）とを有してもよい。各ＲＮＣ２３１，２３２，．．と各基地局２４１、２４２．．とを有するネットワークは、ＲＡＮ部に対応する。
【０００６】
各ＲＮＣ２３１，２３２．．は、無線リソースの制御処理や、移動端末２５０が移動してハンドオーバー処理が行われる際に必要な制御処理を行う。移動端末２５０は、複数の基地局から送信されてきたデータに基づいて、周知の最大比合成処理を行うことにより、通信品質の高いデータを取得する。
【０００７】
この通信システムの動作は、以下のとおりである。先ず、移動端末２５０が通信端末装置２１０との間でのデータ通信を開始するときに、データ通信を行うＲＮＣ２３１は、マルチパスポイント装置として決定される。このＲＮＣは、移動端末２５０と通信端末装置２１０との間でのデータ通信では、常に、マルチパスポイント装置（アンカーのマルチパスポイント装置）である。以下、この装置をＳＲＮＣ（Ｓｅｒｖｉｎｇ  ＲＮＣ）という。図１８に示すように、ＳＲＮＣ２３１と接続された基地局との間で、移動端末が無線通信相手を追加したり、切り替えたりする場合（以下、このような場合をＩｎｔｒａ−ＲＮＣ  ハンドオーバーという）、ＳＲＮＣ２３１は、通信端末装置２１０から送られたデータを複数の基地局２４２，２４３（移動端末２５０と無線通信を行う基地局）にマルチキャスト送信する。そして、各基地局２４２，２４３から移動端末２５０にデータが送信される（通信経路Ａ−１，Ａ−２）。
【０００８】
一方、例えば、移動端末２５０が移動することにより、ＳＲＮＣ２３１と接続された基地局２４２、２４３との間で無線通信を行うとともに、ＳＲＮＣ２３１とは異なるＲＮＣ２３２と接続された基地局２４４との間で新たに無線通信を行う場合（Ｉｎｔｅｒ−Ｒｎｃ  ハンドオーバーという）、以下のような処理が行われる。即ち、図１９に示すように、通信端末装置２１０から複数の基地局２４２，２４３，２４４を介してデータが移動端末２５０に送られる場合、通信端末装置２１０から送信されたデータは、移動加入者交換装置２２０を介して、ＳＲＮＣ２３１に送られる。そして、ＳＲＮＣ２３１は、データを複数の基地局２４２，２４３にマルチキャスト送信する。そして、各基地局２４２、２４３は、それぞれ、データを移動端末２５０に送る（通信経路Ｂ−１、Ｂ−２）。
【０００９】
一方、通信端末装置２１０から基地局２４４を介してデータが移動端末２５０に送られる場合、マルチキャスト送信を行えるのは、ＳＲＮＣ２３１だけであるので、通信端末装置２１０から送信されたデータは、移動加入者交換装置２２０を介して、ＳＲＮＣ２３１にいったん送られる（通信経路Ｂー３１）。そして、ＳＲＮＣ２３１は、データを、ＲＮＣ２３２に送信する（通信経路Ｂ−３２）。ＲＮＣ２３２は、基地局２４４にデータを送信する（通信経路Ｂ−３３）。基地局２４４は、データを移動端末２５０に送る。
【００１０】
また、移動端末２５０から通信端末装置２１０にデータが送信される場合、以下の処理が行われる。Ｉｎｔｒａ−Ｒｎｃ  ハンドオーバーの場合、ＳＲＮＣ２３１は、複数の基地局２４２，２４３から送られたデータを移動加入者交換装置２２０に送信する。移動加入者交換装置２２０は、データを通信端末装置２１０に送信する。
【００１１】
Ｉｎｔｅｒ−Ｒｎｃ  ハンドオーバーの場合、以下のような処理が行われる。即ち、移動端末２５０が基地局を介してデータを通信端末装置２１０に送る場合、移動端末２５０から送信されたデータは、複数の基地局２４２、２４３に送られる。ＳＲＮＣ２３１は、複数の基地局２４２、２４３から送信されたデータを取得し、移動加入者交換装置２２０に送る。移動加入者交換装置２２０は、データを通信端末装置２１０に送信する。
【００１２】
一方、移動端末２５０が基地局２４４を介してデータを通信端末装置２１０に送る場合、移動端末２５０から送信されたデータは、基地局２４４に送られる。基地局２４４は、データをＲＮＣ２３２に送信する。ＲＮＣ２３２は、データを移動加入者交換装置２２０を介して、ＳＲＮＣ２３１に送信する。ＳＲＮＣ２３１は、データを移動加入者交換装置２２０に送信する。移動加入者交換装置２２０は、データを通信端末装置２１０に送信する。
【００１３】
この際、通信端末装置２１０と移動端末２５０との間のデータ通信に関する各種の制御処理を行っているのは、ＳＲＮＣ２３１であり、ＲＮＣ２３２は、データの中継処理を行っているだけである。
【００１４】
【非特許文献１】
３Ｇ  ＴＲ  ２５．８３２“  Ｍａｎｉｆｅｓｔａｔｉｏｎｓ  ｏｆ  Ｈａｎｄｏｖｅｒ  ａｎｄ  ＳＲＮＳ  Ｒｅｌｏｃａｔｉｏｎ”
【００１５】
【発明が解決しようとする課題】
しかしながら、上述した従来技術では、以下のような問題があった。上述したＩｎｔｅｒ−Ｒｎｃ  ハンドオーバーの場合、通信端末装置２１０から基地局２４４を介してデータが移動端末２５０に送られる場合、移動加入者交換装置２２０、ＳＲＮＣ２３１、ＲＮＣ２３２、基地局２４４を介して、移動端末２５０にデータが送信されることになる。
【００１６】
ここで、データは、移動加入者交換装置２２０からＳＲＮＣ２３１を介して、ＲＮＣ２３２に送信されてしまうので、移動加入者交換装置２２０からデータが直接ＲＮＣ２３２に送信される場合に比べて、通信端末装置２１０から移動端末２５０へのデータ通信の経路に、冗長な経路が含まれてしまう。
【００１７】
同じく、上述したＩｎｔｅｒ−Ｒｎｃ  ハンドオーバーの場合、移動端末２５０から、基地局２４４を介してデータが通信端末装置２１０に送られる場合、基地局２４４、ＲＮＣ２３２、ＳＲＮＣ２３１、移動加入者交換装置２２０を介して、通信端末装置２１０にデータが送信されることになる。
【００１８】
ここで、データは、ＲＮＣ２３２から直接、移動加入者交換装置２２０を介して、通信端末装置２１０に送信されないので、ＲＮＣ２３２からデータが直接、移動加入者交換装置２２０を介して、通信端末装置２１０に送信される場合に比べて、移動端末２５０から通信端末装置２１０へのデータ通信の経路に、冗長な経路が含まれてしまう。
【００１９】
このような冗長な経路が存在することにより、通信端末装置２１０と移動端末２５０とのデータ通信において、ネットワークリソースの無駄な消費が発生してしまうという問題があった。
【００２０】
この問題を解決するためには、上記通信システムにおいて、ＳＲＮＣ２３１だけでなく、移動加入者交換装置２２０も、通信端末装置２１０から送られてきたデータを、複数の装置にマルチキャスト送信を行うことができたり、移動加入者交換装置２２０が、複数の装置（ＳＲＮＣ以外の装置を含む）から送信されてきたデータを直接、通信端末装置２１０に送信できるようにする必要がある。
【００２１】
このため、移動端末２５０が複数の基地局との間で無線通信を行う場合（ソフトハンドオーバー状態）、移動端末２５０と通信端末装置２１０との間のデータ通信の間に、複数の交換装置がマルチパスポイント装置の処理を行うことにより、ネットワークリソースの無駄な消費を防止することができる。
【００２２】
また、通信端末装置２１０から移動端末２５０宛に送信されたデータは、複数の基地局２４２，２４３，２４４に送られる。そして、ソフトハンドオーバーの実現のためには、各基地局２４２，２４３，２４４から送信されたデータは、移動端末２５０が同じタイミングで受信する必要がある。また、移動端末２５０から送られたデータが通信端末装置２１０宛に送信される場合、通信端末装置２１０が取得できるデータの通信品質を良好にする必要がある。
【００２３】
本発明は、以上のような問題点に鑑みてなされたものであり、移動端末と通信端末装置との間のデータ通信において、移動端末が複数の基地局との間で無線通信を行う場合、ネットワークリソースの無駄な消費を防止するとともに、移動端末が各基地局からデータを受信するタイミングを相互に同じにすることができる通信システム、マルチキャスト交換装置、通信方法、又は、ネットワークリソースの無駄な消費を防止するとともに、通信端末装置が取得できるデータの通信品質を良好にすることができる通信システム、マルチキャスト交換装置、通信方法を提供することを目的とする。
【００２４】
【課題を解決するための手段】
以上の問題点を解決するために、本発明は、通信端末装置が、複数の基地局を介して、移動端末にデータ送信を行う場合、前記通信端末装置と、前記複数の基地局との間の通信経路に含まれる複数の交換装置が、前記交換装置に接続されている複数の装置に対して、パケットデータのマルチキャスト送信を行う際に、前記複数の交換装置のうち１又は複数の交換装置から、前記複数の基地局に前記パケットデータが送信されるのに必要な時間と、複数の交換装置のうち、１又は複数の交換装置から、前記交換装置と移動端末側に接続された交換装置に前記パケットデータが送信されるのに必要な時間とに基づいて、前記移動端末によるデータ受信のタイミングが、前記複数の基地局との間で、相互に同じになるように、各交換装置が、前記交換装置と接続されている複数の装置に前記パケットデータを送信するタイミングを示す送信タイミングをそれぞれ決定し、前記各交換装置において、それぞれ、決定された送信タイミングに基づいて、前記交換装置と接続されている複数の装置に対して、前記パケットデータを送信することを特徴とするものである。
【００２５】
また、本発明は、上記発明において、前記複数の交換装置のうち、前記通信経路内で最も前記通信端末装置側の交換装置である第１交換装置に送信されたパケットデータである送信対象パケットデータと、前記第１交換装置のマルチキャスト送信先の装置数とに基づいて、複数の無線スロットデータを生成し、各無線スロットデータをそれぞれ含む各パケットデータを生成し、前記第１交換装置において、生成された各パケットデータを、決定された前記第１交換装置に対応する送信タイミングに基づいて、前記第１交換装置に接続されている複数の装置に送信し、前記複数の交換装置のうち、前記第１交換装置以外の交換装置である第２交換装置に送信された各パケットデータと、前記第２交換装置のマルチキャスト送信先の装置数とに基づいて、無線スロットデータを含むパケットデータを、複数、生成し、前記第２交換装置において、生成された各パケットデータを、決定された前記第２交換装置に対応する送信タイミングに基づいて、前記第２交換装置に接続されている複数の装置に送信し、前記複数の基地局が、前記移動端末に、各パケットデータにそれぞれ含まれる各無線スロットデータを送信した場合、前記移動端末は、前記複数の基地局から送信された複数の無線スロットデータに基づいて、前記送信対象パケットデータを生成することを特徴とするものである。
【００２６】
また、本発明は、上記発明において、決定された各送信タイミングに基づいて、前記移動端末によるデータ受信のタイミングが、前記複数の基地局との間で、相互に同じになるように、前記複数の基地局がそれぞれパケットデータを受信するタイミングを示す受信タイミングと、前記複数の交換装置のうち、前記通信経路内で最も前記通信端末装置側の交換装置である第１交換装置以外の交換装置である１又は複数の第２交換装置がパケットデータを受信するタイミングを示す受信タイミングと、をそれぞれ決定し、前記複数の基地局及び前記１又は複数の第２交換装置において、パケットデータを受信したタイミングと、前記第２決定手段により決定された受信タイミングとの差がある場合、前記差を示す差分情報を生成し、所定の交換装置において、所定の装置から前記差分情報を取得した場合、前記差分情報に基づいて、前記所定の装置が、決定された受信タイミングでパケットデータを受信できることに対応する所定の送信タイミングで、パケットデータを前記所定の装置に送信することを特徴とするものである。
【００２７】
また、本発明は、上記発明において、所定の交換装置が、前記所定の送信タイミングで、パケットデータを前記所定の装置に送信できない場合、その旨を示す送信不能情報を、前記所定の交換装置と通信端末装置側に接続された交換装置である端末側交換装置に送信し、前記端末側交換装置において、前記送信不能情報に基づいて、前記第２送信手段が前記所定の送信タイミングでパケットデータを前記所定の装置に送信できることに対応する送信タイミングで、パケットデータを前記所定の交換装置に送信することを特徴とするものである。
【００２８】
また、本発明は、移動端末が複数の基地局を介して、通信端末装置にパケットデータ送信を行う場合、前記通信端末装置と前記複数の基地局までの通信経路に含まれる複数の交換装置が、前記交換装置に接続されている複数の装置から、パケットデータを受信する際に、前記移動端末において、前記通信端末装置に送信する対象のパケットデータである送信対象パケットデータと、前記複数の基地局の数とに基づいて、各無線スロットデータを、送信順序を示す送信順序情報と対応づけて、生成し、前記基地局において、各無線スロットデータを取得した場合、無線スロットデータと、前記無線スロットデータの受信品質を示す信頼度情報とを含むパケットデータを、無線スロットデータごとに、生成し、前記基地局において、前記パケット生成手段により生成された複数のパケットデータを、前記基地局に接続されている交換装置に送信し、前記複数の交換装置のうち、前記通信経路内で最も通信端末装置側の交換装置である第１交換装置以外の交換装置である第２交換装置に、前記第２交換装置に接続されている複数の装置から各パケットデータが送信された場合、前記各パケットデータにそれぞれ含まれる各無線スロットデータのうち、前記各パケットデータに対応づけられた送信順序情報と信頼度情報とに基づいて、複数の無線スロットデータを選択し、選択された各無線スロットデータをそれぞれ含む各パケットデータを、前記第２交換装置に接続されている交換装置に送信し、前記第１交換装置に、前記第１交換装置に接続されている複数の装置から各パケットデータが送信された場合、前記各パケットデータにそれぞれ含まれる各無線スロットデータのうち、前記各パケットデータに対応づけられた送信順序情報と信頼度情報とに基づいて、複数の無線スロットデータを選択し、選択された複数の無線スロットデータに基づいて、前記送信対象パケットデータを生成し、前記送信対象パケットデータを前記通信端末装置に送信することを特徴とするものである。
【００２９】
また、本発明は、上記発明において、前記各パケットデータにそれぞれ含まれる各無線スロットデータのうち、所定の複数の無線スロットデータを選択するとともに、所定の送信順序情報に対応する無線スロットデータを選択できない場合、前記移動端末に対して、前記所定の送信順序情報に対応する無線スロットデータの要求を送信し、前記移動端末から、前記所定の送信順序情報に対応する無線スロットデータを取得した場合、取得された前記無線スロットデータと、前記第２選択手段により選択された前記所定の複数の無線スロットデータとに基づいて、前記送信対象パケットデータを生成することを特徴とするものである。
【００３０】
【発明の実施の形態】
（通信システムの構成）
図１は、本実施の形態の通信システムの構成を示す図である。本実施の形態の通信システムは、通信端末装置１０と、通信端末装置１０と公衆ネットワーク（図示せず）を介して接続された交換装置（以下、上記交換装置という）と、上位交換装置２０と接続された複数の交換装置（以下、下位交換装置３１，３２．．という）と、各下位交換装置３１，３２．．と接続された複数の基地局４１，４２．．．と、移動端末５０とを有する。なお、本発明では、複数の下位交換装置は、複数の第１下位交換装置と、複数の第２下位交換装置であってもよい。この場合、通信システムにおいては、各上位交換装置２０には、複数の第１下位交換装置が接続されており、各第１下位交換装置には、複数の第２下位交換装置が接続されており．．．複数の第Ｎ（Ｎは整数）下位交換装置には、複数の基地局が接続されている。本実施の形態では、一例として、上位交換装置２０と各基地局との間の通信経路には、１つの下位交換装置が含まれている場合の説明が行われる。
【００３１】
移動端末５０と通信端末装置１０との間の通信開始時において、以下の処理が行われる。移動端末５０は、所定の基地局との間で無線通信を行うことを示す通信情報を、上記基地局に送信する。例えば、移動端末５０は、図１に示す基地局４２に通信情報を送信したとする。この通信情報には、上記移動端末５０を特定する情報と、上記移動端末５０の通信相手である通信端末装置１０の識別情報も含まれる。ここで、装置の識別情報とは、装置を識別するための情報であり、例えば、アドレス情報などが該当する。
【００３２】
上記通信情報が送信された基地局４２（後述する基地局４２の制御部）は、上記通信情報を保持するとともに、上記基地局４２と接続されている下位交換装置３１に、上記通信情報を送る。下位交換装置３１に送られる通信情報には、上記通信端末装置１０から送られた移動端末５０宛のデータは、上記基地局４２に送信するように指示する旨と、上記基地局４２の識別情報と、が含まれる。
【００３３】
そして、下位交換装置３１（後述する下位交換装置３１の第１制御部）は、上記通信情報を保持するとともに、上位交換装置２０に送信する。上位交換装置２０に送られる通信情報には、上記通信端末装置１０から送られた移動端末５０宛のデータは、上記下位交換装置３１に送信するように指示する旨と、上記下位交換装置３１の識別情報と、が含まれる。このようにして、通信情報が基地局４２、下位交換装置３１、上位交換装置２０に送られる。
【００３４】
また、下位交換装置３１，３２（後述する下位交換装置３１，３２の第１制御部）は、自分と接続されている基地局４１，４２．．．の識別情報と、自分と接続されている上位交換装置２０の識別情報を保持している。また、上位交換装置２０（後述する上位交換装置２０の第１制御部）は、自分と接続されている下位交換装置３１，３２．．の識別情報を保持している。また、基地局４１，４２．．．の制御部は、自分と接続されている下位交換装置３１，３２の識別情報を保持している。
【００３５】
なお、通信端末装置１０から送られた移動端末５０宛のデータは、上述のようにして、各装置（基地局、各交換装置）を介して、移動端末５０に送られる。但し、上述した方法は、一例である。例えば、以下のようにして、上記データは、各装置（基地局、各交換装置）を介して、移動端末５０に送られてもよい。所定の装置が、各装置の識別情報と、移動端末５０と無線通信を行う基地局の識別情報とを管理している。そして、各装置は、上記所定の装置にアクセスすることにより、各装置は、移動端末５０側に接続されている装置のうち、移動端末５０との間で無線通信を行う基地局又は上記基地局に関係する交換装置を認識することができる。そして、通信端末装置１０から送られた移動端末５０宛のデータを、各装置が取得した場合、上記認識した装置宛に送信する。このようにして、通信端末装置１０から送られた移動端末５０宛のデータは、各装置（基地局、各交換装置）を介して、移動端末５０に送られてもよい。
【００３６】
そして、通信端末装置１０から送られた移動端末５０宛のデータ（パケットデータ）は、上位交換装置２０に送られる。上位交換装置２０は、保持している通信情報と、自分と接続されている下位交換装置３１，３２の識別情報とに基づいて、移動端末５０と無線通信を行う基地局（例えば、基地局４２）と接続されている下位交換装置（例えば、下位交換装置３１）に、上記データを送ることができる。そして、下位交換装置３１は、上記データを取得すると、保持している通信情報と、自分と接続されている基地局４２の識別情報とに基づいて、移動端末５０と無線通信を行う基地局４２に、上記データを送信することができる。そして、基地局４２は、通信情報に基づいて、上記データを移動端末５０に送信することができる。
【００３７】
そして、移動端末５０と通信端末装置１０との間の通信中において、移動端末５０が移動することにより、移動端末５０の無線通信相手の基地局が変化する場合、以下の処理が行われる。例えば、図１に示すように、移動端末５０は、複数の基地局４２、４３、４４との間で無線通信を行うことを示す通信情報を、各基地局に送信する。この通信情報には、上記移動端末５０を特定する情報と、上記移動端末５０の通信相手である通信端末装置１０の識別情報も含まれる。上記通信情報が送信された各基地局４２，４３，４４は、上記通信情報を保持するとともに、上記基地局４２，４３，４４と接続されている下位交換装置３１，３２に、上記通信情報を送る。下位交換装置３１，３２に送られる通信情報には、上記通信端末装置１０から送られた移動端末５０宛のデータは、上記基地局に送信するように指示する旨と、上記基地局の識別情報と、が含まれる。
【００３８】
そして、１又は複数の下位交換装置３１，３２は、上記通信情報を保持するとともに、上位交換装置２０に送信する。上位交換装置２０に送られる通信情報には、上記通信端末装置１０から送られた移動端末５０宛のデータは、上記下位交換装置３１，３２に送信するように指示する旨と、上記下位交換装置３１，３２の識別情報と、が含まれる。このようにして、通信情報が複数の基地局４２、４３，４４、複数の下位交換装置３１，３２、上位交換装置２０に送られる。
【００３９】
上述した処理により、移動端末５０と通信端末装置１０との間の通信において、移動端末５０によるソフトハンドオーバー処理が行われる。即ち、移動端末５０と通信端末装置１０との間の通信において、移動端末５０は、複数の基地局（例えば、基地局４２、４３，４４）と無線通信を行う。本実施の形態は、このように、移動端末５０が、複数の基地局と無線通信を行うことを前提としている。本実施の形態では、一例として、図１に示すように、移動端末５０が複数の基地局４２，４３，４４と無線通信を行う場合についての説明を行う。
【００４０】
また、本実施の形態では、移動端末５０と通信端末装置１０との間の通信において、移動端末５０が移動することにより、移動端末５０が、異なる下位交換装置３１，３２と接続された複数の基地局（例えば、図１に示すような基地局４２，４３，４４，）と無線通信を行うような場合、複数の交換装置（上位交換装置２０、下位交換装置３１）が、マルチキャスト通信を行うことができる。以下、本実施の形態では、移動端末５０と通信端末装置１０との間の通信において、移動端末５０が、複数の基地局と無線通信を行うとともに、複数の交換装置が、マルチキャスト通信を行う場合における各装置の構成、通信方法を以下に説明する。
【００４１】
（上位交換装置２０）
図２は、上位交換装置２０の構成を示す図である。上位交換装置２０は、通信端末装置１０から送信されたパケットデータを受信する通信端末側通信部２０ａと、決定部２０ｂと、生成部２０ｃと、移動端末側通信部２０ｄと、通信端末側通信部２０ａと移動端末側通信部２０ｄと生成部２０ｃと決定部２０ｂとを制御する第２制御部２０ｆと、移動端末側通信部２０ｄと通信端末側通信部２０ａと第２制御部２０ｆとを制御する第１制御部２０ｇとを有する。
【００４２】
第１制御部２０ｇは、自装置と接続されている複数の下位交換装置３１，３２．．の識別情報（例えば、アドレス情報）を保持している。そして、第１制御部２０ｇは、複数の下位交換装置３１，３２から通信情報（移動端末５０を特定する情報と、通信端末装置１０の識別情報と、移動端末５０と無線通信を行う基地局の識別情報と、上記基地局と接続された下位交換装置３１，３２の識別情報とが含まれる）を取得した場合、以下の処理を行う。
【００４３】
第１制御部２０ｇは、保持している複数の下位交換装置３１，３２の識別情報と、通信情報に基づいて、上位交換装置２０がパケットデータを複数の下位交換装置３１，３２にマルチキャスト送信すると判断する。そして、第１制御部２０ｇは、上位交換装置２０がパケットデータを複数の下位交換装置３１，３２にマルチキャスト送信することを示すマルチキャスト情報を保持する。
【００４４】
第１制御部２０ｇがマルチキャスト情報を保持している場合における上位交換装置２０（以下、ＭＰ（マルチパスポイント）上位交換装置２０という）の機能と、第１制御部２０ｇがマルチキャスト送信を行うことを保持していない場合における上位交換装置２０（以下、ＵＰ（ユニパスポイント）上位交換装置２０という）の機能は、異なる。なお、下位交換装置の第１制御部がマルチキャスト情報を保持している場合における下位交換装置を、以下、ＭＰ（マルチパスポイント）下位交換装置という。
【００４５】
以下、ＭＰ上位交換装置２０の機能と、ＵＰ上位交換装置２０の機能とを分けて説明する。ＵＰ上位交換装置２０においては、決定部２０ｂと、生成部２０ｃと、第２制御部２０ｆは、機能しない。ＵＰ上位交換装置２０の第１制御部２０ｇは、１つの下位交換装置から、上記通信情報を取得したときであって、通信情報に含まれる下位交換装置の識別情報が、第１制御部２０ｇが保持している下位交換装置の識別情報のいずれかに一致するとき、以下の処理を行う。第１制御部２０ｇは、通信情報に含まれる移動端末５０を特定する情報に基づいて、上記移動端末５０宛のデータは、上記下位交換装置宛に送信するように、移動端末側通信部２０ｄに指示する。そして、ＵＰ上位交換装置２０の通信端末側通信部２０ａに、パケットデータが送信された場合、第１制御部２０ｇを介して、移動端末側通信部２０ｄに送られる。移動端末側通信部２０ｄは、パケットデータに含まれる宛先情報（移動端末５０を特定する情報）に基づいて、上記下位交換装置に、上記パケットデータを送信する。
【００４６】
ＭＰ上位交換装置２０においては、第２制御部２０ｆ、生成部２０ｃ、決定部２０ｂが機能する。第２制御部２０ｆは、第１制御部２０ｇから送られたマルチキャスト情報及び通信情報を取得する。この際、第２制御部２０ｆには、複数の装置（ＭＰ上位交換装置２０のマルチキャスト送信先の装置）の識別情報が送られる。そして、第２制御部２０ｆは、移動端末側通信部２０ｄに対して、複数の装置に、パケットデータ（上記通信端末装置１０から上記移動端末５０宛に送られたパケットデータ）をマルチキャスト送信するように指示する。詳細な説明は、後述する。
【００４７】
ＭＰ上位交換装置２０の第２制御部２０ｆは、取得した通信情報に含まれる複数の基地局４２、４３，４４の識別情報（移動端末５０と無線通信を行う複数の基地局の識別情報）を保持する。また、第２制御部２０ｆは、ＭＰ上位交換装置２０のマルチキャスト送信先の装置数（図１の場合、２）を保持する。
【００４８】
（決定部２０ｂ）
そして、ＭＰ上位交換装置２０の第２制御部２０ｆ及び決定部２０ｂは、以下の処理を行う。第２制御部２０ｆは、上記移動端末５０と無線通信を行う複数の基地局４２、４３、４４に対して、所定の情報の要求を移動端末側通信部２０ｄを介して、送信する。ここで、第２制御部２０ｆは、時刻を計測する機能（計測機能）を有する。また、上記所定の情報とは、各基地局における時刻の計測に関する情報と、各基地局から移動端末５０が受信したパイロット信号のシーケンスに関する情報である。
【００４９】
そして、第２制御部２０ｆが、各基地局４２、４３，４４から、それぞれ、所定の情報を取得し、決定部２０ｂに送る。そして、決定部２０ｂは、第２制御部２０ｆにおける時刻計測のタイミングと、各基地局４２、４３，４４から取得した所定の情報とに基づいて、移動端末５０によるデータ受信のタイミングが、上記複数の基地局４２、４３，４４間で、相互に同じになるように、各基地局４２、４３，４４が所定のデータ（例えば、後述する１つの無線スロットデータ）を移動端末５０に送信するタイミングと、移動端末５０が上記所定のデータを受信するタイミングとを決定する（詳細内容は、３Ｇ  ＴＳ  ２５．４２７“  ＵＴＲＡＮ  Ｉｕｂ／Ｉｕｒ  ｉｎｔｅｒｆａｃｅ  ｕｓｅｒ  ｐｌａｃｅ  ｐｒｏｔｏｃｏｌ  ｆｏｒ  ＤＣＨ  ｄａｔａ  ｓｔｒｅａｍｓ”参照）。
【００５０】
そして、第２制御部２０ｆは、基地局４２，４３、４４が所定のデータ（後述する１つのパケットデータ）を受信してから、所定のデータ（後述する１つの無線スロットデータ）を送信するのに必要な処理時間をそれぞれ取得する。各処理時間は、決定部２０ｂに送られる。決定部２０ｂは、取得した各処理時間と決定した送信タイミングに基づいて、移動端末５０によるデータ受信のタイミングが、上記複数の基地局４２，４３、４４間で、相互に同じになるように、各基地局４２、４３，４４が所定のデータ（後述する１つのパケットデータ）を受信するタイミングである受信タイミングをそれぞれ決定する。
【００５１】
決定部２０ｂは、複数の交換装置（マルチキャスト送信を行う複数の交換装置）のうち１又は複数の交換装置から、上記複数の基地局４２、４３，４４にパケットデータが送信されるのに必要な時間と、複数の交換装置のうち、１又は複数の交換装置から、上記交換装置と移動端末５０側に接続された交換装置にパケットデータが送信されるのに必要な時間とに基づいて、以下の処理を行う。
【００５２】
即ち、決定部２０ｂは、移動端末５０によるデータ受信のタイミングが、上記複数の基地局４２、４３，４４との間で、相互に同じになるように、各交換装置（ＭＰ上位交換装置２０及びＭＰ下位交換装置３１）が、上記交換装置と接続されている複数の装置にデータを送信するタイミングを示す送信タイミングをそれぞれ決定する。この場合において、上記必要な時間は、データ伝送遅延に関する時間である。具体的な説明は、以下のとおりである。図３は、上述した決定部２０ｂによる具体的な決定処理を説明するための補足図である。
【００５３】
決定部２０ｂは、例えば、ＭＰ下位交換装置３１に対して、ＭＰ下位交換装置３１から複数の基地局４２、４３へ所定のデータを送信するのに必要な時間（経路Ｃ−１、Ｃ−２に対応する時間）の要求を送る。
【００５４】
そして、決定部２０ｂは、上記ＭＰ下位交換装置３１から複数の基地局４２，４３へ所定のデータを送信するのに必要な時間を、ＭＰ下位交換装置３１から、取得する。また、決定部２０ｂは、ＭＰ上位交換装置２０から所定のデータがＭＰ下位交換装置３１に送信されるのに必要な時間（経路Ｃ−３に対応する時間））を取得する。また、決定部２０ｂは、ＭＰ上位交換装置２０から、マルチキャスト送信を行わない下位交換装置３２を介して、所定のデータが基地局４４（移動端末５０と無線通信を行う基地局）に送信されるのに必要な時間（経路Ｃ−４に対応する時間）を取得する。
【００５５】
また、ＭＰ上位交換装置２０の第２制御部２０ｆは、所定のデータ（後述する１つのパケットデータ）が通信端末側通信部２０ａに受信されてから、移動端末側通信部２０ｄから送信されるまでに要する時間であるデータ処理時間を管理している。例えば、第２制御部２０ｆは、上記データ処理時間を定期的に監視することにより、上記管理処理を行う。
【００５６】
ＭＰ上位交換装置２０の決定部２０ｂは、データ処理時間の要求を、ＭＰ下位交換装置３１及び上記複数の基地局４２，４３，４４に送信する。そして、ＭＰ上位交換装置２０の決定部２０ｂは、ＭＰ下位交換装置３１及び上記複数の基地局４２，４３，４４から送られてきたデータ処理時間を取得する。
【００５７】
なお、決定部２０ｂは、ＭＰ下位交換装置３１及び上記複数の基地局４２，４３，４４を以下にようにして認識することができる。ＭＰ上位交換装置２０の第２制御部２０ｆは、移動端末５０と無線通信を行う複数の基地局４１，４２．．．の識別情報を決定部２０ｂに送る。また、第２制御部２０ｆは、ＭＰ上位交換装置２０に接続されている全ての下位交換装置３１，３２．．に対して、問い合わせ情報を送信する。この問い合わせ情報とは、下位交換装置が、通信端末装置１０と移動端末５０との間の通信に関するマルチキャスト送信を行うか否かを問い合わせることを示す情報である。各下位交換装置は、問い合わせ情報に基づいて、マルチキャスト送信を行うか否かを示す情報と、下位交換装置の識別情報とを含む応答情報をＭＰ上位交換装置２０に送信する。ＭＰ上位交換装置２０の第２制御部は、各下位交換装置から送信された応答情報に基づいて、マルチキャスト送信を行う下位交換装置３１の識別情報を取得する。そして、第２制御部２０ｆは、ＭＰ下位交換装置３１の識別情報を決定部２０ｂに送る。これにより、決定部２０ｂは、ＭＰ下位交換装置３１及び上記複数の基地局４２、４３，４４を認識することができる。
【００５８】
決定部２０ｂには、ＭＰ下位交換装置３１から複数の４２、４３へ所定のデータ（例えば、後述する１つのパケットデータ）が送信されるのに必要な時間と、ＭＰ上位交換装置２０から所定のデータがＭＰ下位交換装置３１に送信されるのに必要な時間と、ＭＰ上位交換装置２０から、マルチキャスト送信を行わない下位交換装置３２を介して、所定のデータが基地局４４（移動端末５０と無線通信を行う基地局）に送信されるのに必要な時間と、各装置（ＭＰ上位交換装置２０、ＭＰ下位交換装置３１、複数の基地局４２、４３、４４）にそれぞれ対応するデータ処理時間と、移動端末５０と無線通信を行う複数の基地局４２、４３、４４の識別情報と、ＭＰ下位交換装置３１の識別情報とが送られる。
【００５９】
そして、決定部２０ｂは、送られてきた各情報に基づいて、以下の処理を行う。決定部２０ｂは、上記複数の基地局４１，４２．．．にそれぞれ対応する受信タイミング（既に決定された受信タイミング）で、上記複数の基地局４２、４３，４４が所定のデータを受信できるように、マルチキャスト送信を行う各交換装置（例えば、ＭＰ上位交換装置２０、ＭＰ下位交換装置３１）が、上記交換装置と接続されている複数の装置に上記所定のデータを送信する送信タイミングと、ＭＰ下位交換装置３１が上記所定のデータを受信するタイミングである受信タイミングとを決定する。
【００６０】
例えば、図３に示す場合において、通信端末装置１０から送られてたデータは、各基地局４２，４３、４４を介して、移動端末５０に送信される。この場合、所定のデータ（例えば、後述する１つのパケットデータ）が、ＭＰ上位交換装置２０からＭＰ下位交換装置３１に送信されるのに必要な時間をＴ１とする。所定のデータが、ＭＰ上位交換装置２０から下位交換装置３２を介して、基地局４４に送信されるのに必要な時間をＴ２とする。ＭＰ下位交換装置３１から各基地局４２、４３に所定のデータが送信されるのに必要な時間をＴ３、Ｔ４とする。そして、ＭＰ下位交換装置３１における所定のデータの処理時間がｔ１であるとする。
【００６１】
この場合、ＭＰ上位交換装置２０から各基地局４１，４２．．．に所定のデータを送信するための通信経路は、図３に示すように、経路Ｃ−３及び経路Ｃ−１からなる通信経路１、経路Ｃ−３及び経路Ｃ−２からなる通信経路２、経路Ｃ−４からなる通信経路３となる。そして、通信経路１の場合、ＭＰ上位交換装置２０から基地局４２に所定のデータが送信されるのに要する時間は、Ｔ１＋ｔ１＋Ｔ３＝Ｓ１であり、通信経路２の場合、ＭＰ上位交換装置２０から基地局４３に所定のデータが送信されるのに要する時間は、Ｔ１＋ｔ１＋Ｔ４＝Ｓ２であり、通信経路３の場合、ＭＰ上位交換装置２０から基地局４４に所定のデータが送信されるのに要する時間は、Ｔ２である。
【００６２】
そして、決定部２０ｂは、時間Ｓ１，Ｓ２，Ｔ２と、既に決定した各基地局４２、４３，４４の受信タイミングとに基づいて、以下の処理を行う。決定部２０ｂは、所定のデータが通信経路１、２，３を介して基地局４２、４３，４４に受信されるタイミングが、既に決定した各基地局４２，４３，４４に対応する受信タイミングと同じになるように、ＭＰ上位交換装置２０に対応する所定のデータの送受信タイミングと、ＭＰ下位交換装置３１に対応する所定のデータの送受信タイミングと、を決定する。
【００６３】
例えば、図３に示す通信システムの場合、決定部２０ｂは、ＭＰ上位交換装置２０が、ＭＰ下位交換装置３１に所定のデータ（後述する１つのパケットデータ）を、送信するタイミングをＷ１と決定し、ＭＰ上位交換装置２０が、基地局４４（下位交換装置３２）に所定のデータを、送信するタイミングをＷ２と決定する。また、決定部２０ｂは、ＭＰ下位交換装置３１がＭＰ上位交換装置２０から所定のデータを受信するタイミングをＷ３と決定し、基地局４４が、ＭＰ上位交換装置２０（下位交換装置３２）から所定のデータを受信するタイミングをＷ４と決定する。また、決定部２０ｂは、ＭＰ下位交換装置３１が、基地局４２、４３に所定のデータを、送信するタイミングをＷ５、Ｗ６と決定する。そして、決定部２０ｂは、基地局４２、４３が、ＭＰ下位交換装置３１から所定のデータを受信するタイミングをＷ７，Ｗ８と決定する。
【００６４】
決定部２０ｂにより決定された各送信タイミング、各受信タイミングは、各装置の識別情報と対応づけられる。そして、送信タイミング、受信タイミングは、各装置に送信される。なお、ＭＰ上位交換装置２０の送信タイミングは第２制御部２０ｆに送られる。第２制御部２０ｆは、上記通信端末装置１０から上記移動端末５０宛に送られたデータを、複数の装置（例えば、ＭＰ下位交換装置３１，３２及び基地局４４）に、マルチキャスト送信する場合、決定部２０ｂにより決定された送信タイミングで送信するように、移動端末側通信部２０ｄに指示する。この際、上記決定部２０ｂにより決定された送信タイミングを示す情報（以下、送信タイミング情報）は、移動端末側通信部２０ｄに保持される。
【００６５】
移動端末側通信部は、決定部２０ｂにより決定された送信タイミングに基づいて、ＭＰ上位交換装置２０のマルチキャスト送信先の装置（ＭＰ上位交換装置２０と接続されている複数の装置）に対して、パケットデータを送信（マルチキャスト送信）する。
【００６６】
なお、決定部２０ｂによる決定処理、送信タイミング、受信タイミングの送信処理は、ＭＰ上位交換装置２０と接続されている複数の装置から通信情報が送られるたびに行われる。
【００６７】
また、移動端末５０と無線通信を行う基地局４２、４３，４４は変わらないが、移動端末５０が移動することにより、移動端末５０が複数の基地局４２、４３，４４から同じタイミングでデータ受信できなくなった場合には、例えば、その旨を示す情報が各基地局４２、４３，４４に送信される。各基地局４２，４３、４４は、再度、所定の情報を取得し、ＭＰ上位交換装置２０の決定部２０ｂに送る。決定部２０ｂは、送られた所定の情報に基づいて、移動端末５０が各基地局４２、４３，４４から同じタイミングでデータ受信できるように、各基地局の送信タイミング、移動端末５０の受信タイミングを決定する。この際、各基地局４２、４３，４４の受信タイミングは、例えば、変更されない（詳細内容は、３Ｇ  ＴＳ  ２５．４２７“  ＵＴＲＡＮ  Ｉｕｂ／Ｉｕｒ  ｉｎｔｅｒｆａｃｅ  ｕｓｅｒ  ｐｌａｃｅ  ｐｒｏｔｏｃｏｌ  ｆｏｒ  ＤＣＨ  ｄａｔａ  ｓｔｒｅａｍｓ”参照）。
【００６８】
そして、決定部２０ｂは、新たに決定した各基地局４２、４３，４４の送信タイミングを、移動端末側通信部２０ｄを介して、各基地局に送信するとともに、移動端末５０の受信タイミングを、移動端末側通信部２０ｄを介して、移動端末５０に送信する。
【００６９】
（生成部）
生成部２０ｃは、ＭＰ上位交換装置２０に送信されたパケットデータ（以下、送信対象パケットデータ）と、ＭＰ上位交換装置２０のマルチキャスト送信先の装置数とに基づいて、複数の無線スロットデータを生成する。図４は、生成部２ｃによる生成処理を説明するための補足図である。
【００７０】
具体的には、以下のとおりである。通信端末側通信部２０ａには、通信端末装置１０から、所定の送信対象パケットデータ（Ｌ３パケットデータ、ＩＰパケットデータともいう）が送信される。この所定の送信対象パケットデータには、ヘッダ情報とペイロード情報とが含まれる。ヘッダ情報には、移動端末５０を特定する情報（宛先情報）と、通信端末装置１０の識別情報（送信元情報）が含まれる。上記所定の送信対象パケットデータは、第２制御部２０ｆを介して生成部２０ｃに送られる。この際、生成部２０ｃには、ＭＰ上位交換装置２０のマルチキャスト送信先の装置数が送られる。例えば、図３の場合には、ＭＰ上位交換装置２０のマルチキャスト送信先の装置数は２つである。また、第１制御部２０ｇは、上記ヘッダ情報に基づいて、基地局４４及びＭＰ下位交換装置３１へマルチキャスト送信する旨（下位交換装置３２の識別情報と、基地局４４の識別情報と、ＭＰ下位交換装置３１の識別情報とが含まれる）と、データ送信は通信端末装置１０から移動端末５０へのデータ送信であることを示す情報とを、第２制御部２０ｆを介して、生成部２０ｃに送る。
【００７１】
そして、生成部２０ｃは、所定の送信対象パケットデータを、所定数（例えば、４つ）に分割することにより、所定数の無線スロットデータ（無線Ｌ２フレームともいう）を生成する（Ｓ１）。この際、生成部２０ｃは、生成した各無線スロットデータに対して、それぞれ、送信順序を示す情報である送信順序情報（シーケンスナンバー、例えば１，２，３，４）を与える（Ｓ２）。この送信順序情報は、例えば、Ｗ−ＣＤＭＡにおけるＣＦＮ（Ｃｏｎｎｅｃｔｉｏｎ  Ｆｒａｍｅ  Ｎｕｍｂｅｒ）に相当するものである。ここで、各基地局４２、４３，４４から移動端末５０にそれぞれ送信されてくる無線スロットデータに対応する送信順序情報は、相互に同じとなっている。
【００７２】
そして、生成部２０ｃは、所定数の無線スロットデータを、上記マルチキャスト送信先の装置の数（例えば、２つ）だけ、生成する（Ｓ３）。そして、生成部２０ｃは、各無線スロットデータをそれぞれ含む各パケットデータを生成する（Ｓ４）。
【００７３】
具体的には、以下のとおりである。例えば、図４に示すように、マルチキャスト送信先の装置数が２であり、所定数が４であり、マルチキャスト送信先の装置が基地局４４，ＭＰ下位交換装置３１である場合を考える。生成部２０ｃは、無線スロットデータ（送信順序情報１から４に対応する無線スロットデータ）と、ヘッダ情報（基地局４４の識別情報（宛先情報））と、通信端末装置１０から移動端末５０宛へのデータ送信であることを示す情報と、を含む情報）とを含むパケットデータを複数（４つ）、生成する。
【００７４】
同じく、生成部２０ｃは、無線スロットデータ（送信順序１から４に対応する無線スロットデータ）と、ヘッダ情報（ＭＰ下位交換装置３１の識別情報（宛先情報）と、通信端末装置１０から移動端末５０宛へのデータ送信であることを示す情報と、を含む情報）とを含むパケットデータを複数（４つ）生成する。生成部２０ｃにより生成された各パケットデータは第２制御部２０ｆに送られる。第２制御部２０ｆは、各パケットデータを移動端末側通信部２０ｄに送る。
【００７５】
移動端末側通信部２０ｄは、各パケットデータのヘッダ情報と、保持している送信タイミング情報とに基づいて、生成部２０ｃにより生成された各パケットデータを、決定部２０ｂにより決定された送信タイミング（ＭＰ上位交換装置２０に対応する送信タイミング）に基づいて、ＭＰ上位交換装置２０に接続されている複数の装置に送信する。具体的には、以下のとおりである。
【００７６】
例えば、決定部２０ｂは、ＭＰ上位交換装置２０が、ＭＰ下位交換装置３１に１つのパケットデータを、送信するタイミングをＷ１と決定し、ＭＰ上位交換装置２０が、基地局４４に１つのパケットデータを、送信するタイミングをＷ２と決定したとする。そして、移動端末側通信部２０ｄは、上記送信タイミングＷ１、Ｗ２を示す情報を保持しているとする。
【００７７】
この場合、移動端末側通信部２０ｄは、ＭＰ下位交換装置３１宛の各パケットデータを、上記送信タイミングＷ１で送信する。また、移動端末側通信部２０ｄは、基地局４４宛の各パケットデータを、上記送信タイミングＷ２で送信する。
【００７８】
具体的には、上記送信タイミングＷ１は、例えば、Ｘ１＋ＮＴ（Ｘ１は所定の時刻タイミング、Ｎは整数、Ｔは周期時間）であるとする。この場合、移動端末側通信部２０ｄは、ＭＰ下位交換装置３１宛の各パケットデータを、上記送信タイミングに従って、ＭＰ下位交換装置３１に送信する。同じく、上記送信タイミングＷ２は、例えば、Ｘ２＋ＮＴ（Ｘ２は所定の時刻タイミング、Ｎは整数、Ｔは周期時間）であるとする。この場合、移動端末側通信部２０ｄは、基地局４４宛の各パケットデータを、上記送信タイミングに従って、基地局４４に送信する。なお、ここで、Ｗ１のＴとＷ２のＴは、同じ値である。そして、Ｎは、送信対象情報に対応する値である。例えば、移動端末側通信部２０ｄは、送信対象情報１に対応するパケットデータを、基地局４４に対して、送信タイミングＸ２＋１＊Ｔで送信する。
【００７９】
（下位交換装置）
図５は、下位交換装置３１，３２．．の構成を示す図である。下位交換装置３１，３２は、上位交換装置２０（ＭＰ上位交換装置２０）から送信されたパケットデータを受信する通信端末側通信部１００と、生成部１０１と、移動端末側通信部１０２と、通信端末側通信部１００と移動端末側通信部１０２と生成部１０１とを制御する第２制御部１０３と、移動端末側通信部１０２と通信端末側通信部１００と第２制御部１０３とを制御する第１制御部１０４とを有する。
【００８０】
第１制御部１０４は、下位交換装置と接続されている複数の基地局の識別情報（例えば、アドレス情報）を保持している。そして、第１制御部１０４は、複数の基地局から通信情報（移動端末５０を特定する情報と、通信端末装置１０の識別情報と、移動端末５０と無線通信を行う基地局の識別情報とが含まれる）を取得した場合、以下の処理を行う。
【００８１】
第１制御部１０４は、保持している複数の基地局の識別情報と、通信情報に基づいて、下位交換装置がパケットデータを複数の基地局にマルチキャスト送信すると判断する。そして、第１制御部１０４は、下位交換装置がパケットデータを複数の基地局にマルチキャスト送信することを示すマルチキャスト情報を保持する。
【００８２】
第１制御部１０４がマルチキャスト情報を保持している場合における下位交換装置３１（ＭＰ下位交換装置３１）の機能と、第１制御部１０４がマルチキャスト送信を行うことを保持していない場合における下位交換装置３２（以下、ＵＰ（ユニパスポイント）下位交換装置３２という）の機能は、異なる。以下、ＭＰ下位交換装置３１の機能と、ＵＰ下位交換装置３２の機能とを分けて説明する。ＵＰ下位交換装置３２においては、生成部１０１及び第２制御部１０３は、機能しない。ＵＰ下位交換装置３２の第１制御部１０４の機能は、ＵＰ上位交換装置２０の第１制御部２０ｇの機能において、下位交換装置を基地局に置き換えた場合に相当する。但し、第１制御部１０４は、ＭＰ上位交換装置２０から、上記問い合わせ情報を取得した場合、マルチキャスト送信を行わないことを示す情報と、ＵＰ下位交換装置３２の識別情報とを含む応答情報をＭＰ上位交換装置２０に送信する。
【００８３】
ＭＰ下位交換装置３１においては、第２制御部１０３、生成部１０１が機能する。第２制御部１０３は、第１制御部１０４から送られたマルチキャスト情報及び通信情報を取得する。この際、第２制御部１０３には、ＭＰ下位交換装置３１のマルチキャスト送信先の装置の識別情報が送られる。そして、第２制御部１０３は、移動端末側通信部１０２に対して、複数の基地局４２、４３に、パケットデータ（通信端末装置１０から移動端末５０宛に送られたパケットデータ））をマルチキャスト送信するように指示する。
ＭＰ下位交換装置３１の第２制御部１０３は、取得した通信情報に対応する基地局４２、４３を特定する情報に基づいて、移動端末５０と無線通信を行う複数の基地局４２、４３の識別情報を保持する。また、第２制御部１０３は、ＭＰ下位交換装置３１のマルチキャスト送信先の装置（基地局４２、４３）の数（２つ）を保持する。
【００８４】
そして、第２制御部１０３は、上記通信端末装置１０から上記移動端末５０宛に送られたデータを、複数の基地局４２，４３に、マルチキャスト送信するように移動端末側通信部１０２に指示する。
【００８５】
また、ＭＰ下位交換装置３１の第２制御部１０３は、以下の処理を行う。第２制御部１０３は、ＭＰ上位交換装置２０から送られた情報（ＭＰ下位交換装置３１から、複数の基地局４２、４３にパケットデータが送信されるのに必要な時間の要求）を取得する。第２制御部１０３は、ＭＰ下位交換装置３１から、複数の基地局４２，４３にパケットデータが送信されるのに必要な時間を計測し、上記時間を、通信端末側通信部１００を介して、ＭＰ上位交換装置２０に送信する。
【００８６】
また、ＭＰ下位交換装置３１の第２制御部１０３は、１つのパケットデータが通信端末側通信部１００に受信されてから、移動端末側通信部１０２から送信されるまでに要する時間であるデータ処理時間を管理している。例えば、第２制御部１０３は、上記データ処理時間を定期的に監視することにより、上記管理処理を行う。
【００８７】
そして、第２制御部１０３は、ＭＰ上位交換装置２０から、データ処理時間の要求を取得した場合、上記データ処理時間を、通信端末側通信部１００を介して、ＭＰ上位交換装置２０に送信する。
【００８８】
なお、第１制御部１０４は、ＭＰ上位交換装置２０から、上記問い合わせ情報を取得した場合、マルチキャスト送信を行うことを示す情報と、ＭＰ下位交換装置３１の識別情報とを含む応答情報をＭＰ上位交換装置２０に送信する。
【００８９】
第２制御部１０３は、ＭＰ上位交換装置２０から送られた、送信タイミングを示す情報と受信タイミングを示す情報とを取得する。そして、第２制御部１０３は、上記通信端末装置１０から上記移動端末５０宛に送られたパケットデータを、ＭＰ上位交換装置２０から受信する場合、決定部２０ｂにより決定された受信タイミングで受信するように、通信端末側通信部１００に指示する。この際、上記決定部２０ｂにより決定された受信タイミングを示す情報（以下、受信タイミング情報）は、通信端末側通信部１００に保持される。
【００９０】
同じく、第２制御部１０３は、上記通信端末装置１０から上記移動端末５０宛に送られたパケットデータを、複数の基地局４２、４３に、マルチキャスト送信する場合、決定部２０ｂにより決定された送信タイミングで送信するように、移動端末側通信部１０２に指示する。この際、上記決定部２０ｂにより決定された送信タイミングを示す情報（以下、送信タイミング情報）は、移動端末側通信部１０２に保持される。
【００９１】
通信端末側通信部１００は、決定部２０ｂにより決定された受信タイミングに基づいて、ＭＰ上位交換装置２０から送信されてきたパケットデータ（上記通信端末装置１０から上記移動端末５０宛に送られたパケットデータ）を受信する。また、移動端末側通信部１００は、決定部２０ｂにより決定された送信タイミングに基づいて、ＭＰ下位交換装置３１のマルチキャスト送信先の装置（基地局４２，４３）に対して、パケットデータ（上記通信端末装置１０から上記移動端末５０宛に送られたパケットデータ）を送信（マルチキャスト送信）する。
【００９２】
生成部１０１は、ＭＰ下位交換装置３１に送信された各パケットデータと、ＭＰ下位交換装置３１のマルチキャスト送信先の装置数とに基づいて、無線スロットデータを含むパケットデータを、複数生成する。図６は、生成部１０１による生成処理を説明するための補足図である。
【００９３】
具体的には、以下のとおりである。通信端末側通信部１００には、ＭＰ上位交換装置２０から、各パケットデータ（例えば、送信順序情報１から４に対応する各パケットデータ）が送信される（Ｓ６）。上記各パケットデータは、第２制御部１０３を介して、生成部１０１に送られる。この際、生成部１０１には、ＭＰ下位交換装置３１のマルチキャスト送信先の装置数が送られる。例えば、図６の場合には、ＭＰ下位交換装置３１のマルチキャスト送信先の装置数は２つである。
【００９４】
また、第１制御部１０４は、各パケットデータに含まれる情報（通信端末装置１０から移動端末５０宛にデータ送信が行われることを示す情報）に基づいて、複数の基地局４２、４３へデータを送信（マルチキャスト送信）する旨（基地局４２、４３の識別情報とが含まれる）を、第２制御部１０３を介して、生成部１０１に送る。
【００９５】
そして、生成部１０１は、上記各パケットデータを、上記マルチキャスト送信先の装置の数だけ、生成する（Ｓ７）。例えば、上記マルチキャスト送信先の装置数が２である場合、生成部１０１は、各パケットデータの複製処理を行うことにより、上記各パケットデータを、上記マルチキャスト送信先の装置の数（例えば２つ）だけ、生成する。
【００９６】
そして、生成部１０１は、各パケットデータのヘッダ情報の変換処理を行う。具体的には、以下のとおりである。例えば、図３に示すように、マルチキャスト送信先の装置数が２であり、マルチキャスト送信先の装置が基地局４２、４３である場合を考える。生成部１０１は、送信対象情報が同じである２つのパケットデータのうち、あるパケットデータのヘッダ情報に含まれる宛先情報（ＭＰ下位交換装置３１の識別情報）を、基地局４２の識別情報に変換する。
【００９７】
同様にして、生成部１０１は、送信対象情報が同じである２つのパケットデータのうち、他のパケットデータのヘッダ情報に含まれる宛先情報（ＭＰ下位交換装置３１の識別情報）を、基地局４３の識別情報に変換する。そして、生成部１０１は、変換処理を施した各パケットデータを、第２制御部１０３に送る。第２制御部１０３は、各パケットデータを移動端末側通信部１０２に送る。
【００９８】
なお、生成部１０１による生成処理において、パケットデータの複製処理の代わりに、パケットデータに含まれる無線スロットデータの複製処理が行われてもよい。
【００９９】
移動端末側通信部１０２は、各パケットデータのヘッダ情報と、保持している送信タイミング情報とに基づいて、生成部１０１により生成された各パケットデータ（通信端末装置１０から移動端末５０宛のパケットデータ）を、決定部２０ｂにより決定された送信タイミング（ＭＰ下位交換装置３１に対応する送信タイミング）に基づいて、ＭＰ下位交換装置３１に接続されている複数の装置に送信する（Ｓ８）。
【０１００】
具体的には、以下のとおりである。例えば、決定部２０ｂは、ＭＰ下位交換装置３１が、基地局４２に所定のデータ（１つのパケットデータ）を、送信するタイミングをＷ１０と決定し、ＭＰ下位交換装置３１が、基地局４３に所定のデータ（１つのパケットデータ）を、送信するタイミングをＷ２０と決定したとする。そして、移動端末側通信部１０２は、上記送信タイミングＷ１０、Ｗ２０を示す情報を保持している。
【０１０１】
この場合、移動端末側通信部１０２は、基地局４２宛の各パケットデータを、上記送信タイミングＷ１０で送信する。また、移動端末側通信部１０２は、基地局４３宛の各パケットデータを、上記送信タイミングＷ２０で送信する。
【０１０２】
（基地局４１，４２．．．）
図７は、基地局４１，４２．．．の構成を示す図である。基地局４１，４２．．．は、下位交換装置３１，３２からデータを受信する通信端末側通信部１１０と、移動端末側通信部１１１と、各部を制御する制御部１１２とを有する。
【０１０３】
制御部１１２は、基地局と接続されている下位交換装置の識別情報を保持している。また、制御部１１２は、移動端末５０から送信された通信情報（移動端末５０と基地局との間で無線通信が行われることを示す通信情報）を通信部１１０を介して、下位交換装置に送信する。
【０１０４】
また、制御部１１２は、ＭＰ上位交換装置２０から送信された所定の情報（基地局における時刻の計測に関する情報、上述したパイロット信号のシーケンスに関する情報）の要求を取得した場合、制御部１１２は、上記所定の情報を、通信端末側通信部１１０を介して、ＭＰ上位交換装置２０に送信する。
【０１０５】
また、制御部１１２は、所定のデータ（上述した１つのパケットデータ）が通信端末側通信部１１０に受信されてから、所定のデータ（上述した１つの無線スロットデータ）が移動端末側通信部１１１から送信されるまでに要する時間であるデータ処理時間を管理している。制御部１１２は、ＭＰ上位交換装置２０から、データ処理時間の要求を取得した場合、上記データ処理時間を、通信端末側通信部１１０を介して、ＭＰ上位交換装置２０に送信する。
【０１０６】
制御部１１２は、ＭＰ上位交換装置２０から送られた、送信タイミングを示す情報と受信タイミングを示す情報を取得する。そして、制御部１１２は、上記通信端末装置１０から上記移動端末５０宛に送られたパケットデータを、受信する場合、決定部２０ｂにより決定された受信タイミングで受信するように、通信端末側通信部１１０に指示する。この際、上記決定部２０ｂにより決定された受信タイミングを示す情報である受信タイミング情報は、通信端末側通信部１１０に保持される。
【０１０７】
同じく、制御部１１２は、上記通信端末装置１０から上記移動端末５０宛に送られたパケットデータに含まれる無線スロットデータを、移動端末５０に、送信する場合、決定部２０ｂにより決定された送信タイミングで送信するように、移動端末側通信部１１１に指示する。この際、上記決定部２０ｂにより決定された送信タイミングを示す情報である送信タイミング情報は、移動端末側通信部１１１に保持される。
【０１０８】
通信端末側通信部１１０は、決定部２０ｂにより決定された受信タイミングに基づいて、下位交換装置３１から送信されてきたパケットデータ（上記通信端末装置１０から上記移動端末５０宛に送られたパケットデータ）を受信する。また、移動端末側通信部１１１は、決定部２０ｂにより決定された送信タイミングに基づいて、移動端末５０に対して、上記パケットデータに含まれる無線スロットデータ（上記通信端末装置１０から上記移動端末５０宛に送られたデータ）を送信する。
【０１０９】
（移動端末５０）
図８は、移動端末５０の構成を示す図である。移動端末５０は、複数の基地局からデータ（無線スロットデータ）を受信する通信部５０ａと、通信部５０ａを制御する制御部５０ｂとを有する。
【０１１０】
制御部５０ｂは、ＭＰ上位交換装置２０から、受信タイミング情報を取得する。制御部５０ｂは、各基地局４２，４３，４４から送られた無線スロットデータを受信する場合、決定部２０ｂにより決定された受信タイミングで受信するように、通信部５０ａに指示する。この際、上記決定部２０ｂにより決定された受信タイミングを示す情報である受信タイミング情報は、通信部５０ａに保持される。
【０１１１】
通信部５０ａは、決定部２０ｂにより決定された受信タイミング（１つの同じ受信タイミング）に基づいて、各基地局４２，４３，４４から送信されてきた無線スロットデータを受信する。例えば、通信部５０ａは、各基地局４２，４３，４４から送信された、同じ送信順序情報Ｎ（Ｎは整数）に対応する３つの無線スロットデータを、同じタイミングで受信する。受信された各無線スロットデータは、制御部５０ｂに送られる。
【０１１２】
制御部５０ｂは、複数の基地局４２，４３，４４から送信された複数の無線スロットデータに基づいて、上記送信対象パケットデータを生成する。具体的には、以下のとおりである。移動端末５０の制御部５０ｂに、例えば、同じタイミングで、送信順序情報１，２，３．．にそれぞれ対応する３つ（上記複数の基地局の数）の無線スロットデータが送信されてきたとする。この場合、制御部５０ｂは、各送信順序情報ごとに以下の処理を行う。即ち、制御部５０ｂは、上記３つの無線スロットデータに基づいて、周知の最大比合成処理を行い、１つの無線スロットデータを生成する。
【０１１３】
そして、制御部５０ｂは、最大比合成処理が行われた複数の無線スロットデータ（全ての送信順序情報に対応する無線スロットデータ）を組み合わせることにより、送信対象パケットデータを生成する。
【０１１４】
（通信方法）
本実施の形態の通信システムを用いた通信方法を以下に説明する。上述したようにして、移動端末５０と通信端末装置１０との間の通信において、図３に示すように、移動端末５０が複数の基地局４２、４３，４４と無線通信を行うことを示す情報（通信情報）は、各交換装置に送られている。また、上述したようにして、ＭＰ上位交換装置２０の第１制御部２０ｇ及びＭＰ下位交換装置３１の第１制御部１０４は、マルチキャスト情報を保持し、下位交換装置３２の第１制御部１０４は、マルチキャスト情報を保持しない。そして、上述したように、ＭＰ下位交換装置３１の識別情報及び上記複数の基地局４２，４３、４４の識別情報は、ＭＰ上位交換装置２０の決定部２０ｂに送られる。
【０１１５】
そして、ＭＰ上位交換装置２０の決定部２０ｂにより、以下のような決定処理が行われる。図９は、決定部２０ｂによる決定処理を説明するためのフローチャート図である。
【０１１６】
ＭＰ上位交換装置２０の第２制御部２０ｆ及び決定部２０ｂは、以下の処理を行う。第２制御部２０ｆは、上記移動端末５０と無線通信を行う複数の基地局４２、４３，４４から、所定の情報を取得し、決定部２０ｂに送る。そして、決定部２０ｂは、取得した所定の情報に基づいて、移動端末５０によるデータ受信のタイミングが、上記複数の基地局４２，４３、４４間で、相互に同じになるように、各基地局が所定のデータ（例えば、後述する１つの無線スロットデータ）を移動端末５０に送信するタイミングと、移動端末５０が上記所定のデータを受信するタイミングを決定する（Ｓ２０）。
【０１１７】
そして、第２制御部２０ｆは、各基地局４２，４３，４４の制御部１１２から、各基地局が所定のデータ（１つのパケットデータ）を受信してから、所定のデータ（１つの無線スロットデータ）を送信するのに必要な処理時間をそれぞれ取得する。各処理時間は、決定部２０ｂに送られる。
【０１１８】
決定部２０ｂは、取得した各処理時間と、決定した送信タイミングに基づいて、移動端末５０によるデータ受信のタイミングが、上記複数の基地局４２，４３，４４間で、相互に同じになるように、各基地局４２，４３，４４が所定のデータ（例えば、１つのパケットデータ）を受信するタイミングである受信タイミングを決定する（Ｓ２２）。
【０１１９】
決定部２０ｂは、決定部２０ｂにより決定された受信タイミングで、上記複数の基地局４２，４３、４４が所定のデータを受信できるように、マルチキャスト送信を行う各交換装置（ＭＰ上位交換装置２０、ＭＰ下位交換装置３１）が、上記交換装置と接続されている複数の装置に上記所定のデータを送信するタイミングである送信タイミングと、ＭＰ下位交換装置３１が上記所定のデータを受信するタイミングである受信タイミングとを決定する（Ｓ２４）。
【０１２０】
決定部２０ｂにより決定された各送信タイミング、各受信タイミングは、各装置の識別情報と対応づけられる。そして、送信タイミングを示す情報、受信タイミングを示す情報は、各装置に送信される。そして、送受信タイミングを示す情報が各装置に送られた場合、各装置では、以下のような処理が行われる。
【０１２１】
ＭＰ下位交換装置３１では、以下の処理が行われる。第２制御部１０３は、ＭＰ上位交換装置２０から送られた、送信タイミング情報と受信タイミング情報を取得する。そして、第２制御部１０３は、上記通信端末装置１０から上記移動端末５０宛に送られたパケットデータを、ＭＰ上位交換装置２０から受信する場合、決定部２０ｂにより決定された受信タイミングで受信するように、通信端末側通信部１００に指示する。
【０１２２】
同じく、第２制御部１０３は、上記通信端末装置１０から上記移動端末５０宛に送られたパケットデータを、複数の基地局４２、４３に、マルチキャスト送信する場合、決定部２０ｂにより決定された送信タイミングで送信するように、移動端末側通信部１０２に指示する。
【０１２３】
基地局４２、４３，４４では、以下の処理が行われる。  制御部１１２は、ＭＰ上位交換装置２０から送られた、送信タイミング情報と受信タイミング情報を取得する。そして、制御部１１２は、上記通信端末装置１０から上記移動端末５０宛に送られたパケットデータを、受信する場合、決定部２０ｂにより決定された受信タイミングで受信するように、通信端末側通信部１１０に指示する。
【０１２４】
同じく、制御部１１２は、上記通信端末装置１０から上記移動端末５０宛に送られたパケットデータに含まれる無線スロットデータを、移動端末５０に、送信する場合、決定部２０ｂにより決定された送信タイミングで送信するように、移動端末側通信部１１１に指示する。
【０１２５】
移動端末５０では、以下の処理が行われる。制御部５０ｂは、ＭＰ上位交換装置２０から送信されてきた受信タイミング情報を取得する。制御部５０ｂは、各基地局４２、４３，４４から送られた無線スロットデータを受信する場合、決定部２０ｂにより決定された受信タイミングで受信するように、通信部５０ａに指示する。
【０１２６】
なお、ＭＰ上位交換装置２０の送信タイミングを示す情報は、ＭＰ上位交換装置２０の第２制御部２０ｆに送られる。第２制御部２０ｆは、上記通信端末装置１０から上記移動端末５０宛に送られたデータを、複数の装置に、マルチキャスト送信する場合、決定部２０ｂにより決定された送信タイミングで送信するように、移動端末側通信部２０ｄに指示する。
【０１２７】
次に、通信端末装置１０から移動端末５０へのデータ送信方法の説明を行う。先ず、通信端末装置１０から送られた送信対象パケットデータは、例えば、公衆ネットワークを介して、ＭＰ上位交換装置２０に送られる。この際、公衆ネットワークに配置されている各中継装置が、ルーティングテーブルに基づいて、ルーティング処理を行うことにより、上記送信対象パケットデータは、ＭＰ上位交換装置２０に送られる。
【０１２８】
図１０は、ＭＰ上位交換装置２０における処理を説明するためのフローチャート図である。
【０１２９】
通信端末側通信部２０ａには、通信端末装置１０から、所定の送信対象パケットデータが送信される。上記所定の送信対象パケットデータは、第２制御部２０ｆを介して生成部２０ｃに送られる（Ｓ３０）。この際、生成部２０ｃには、ＭＰ上位交換装置２０のマルチキャスト送信先の装置数が送られる。
【０１３０】
そして、生成部２０ｃは、送信対象パケットデータと、ＭＰ上位交換装置２０のマルチキャスト送信先の装置数とに基づいて、複数の無線スロットデータを生成する（Ｓ３２）。そして、生成部２０ｃは、各無線スロットデータをそれぞれ含む各パケットデータを生成する（Ｓ３４）。生成部２０ｃにより生成された各パケットデータは第２制御部２０ｆに送られる。第２制御部２０ｆは、各パケットデータを移動端末側通信部２０ｄに送る。
【０１３１】
移動端末側通信部２０ｄは、各パケットデータのヘッダ情報と、保持している送信タイミング情報とに基づいて、生成部２０ｃにより生成された各パケットデータを、決定部２０ｂにより決定されたＭＰ上位交換装置２０に対応する送信タイミングに基づいて、ＭＰ上位交換装置２０に接続されている複数の装置（ＭＰ下位交換装置３１、基地局４４）に送信する（Ｓ３６）。
【０１３２】
各パケットデータが送信されたＭＰ下位交換装置３１では、以下の処理が行われる。図１１は、ＭＰ下位交換装置３１における処理を説明するためのフローチャート図である。
【０１３３】
通信端末側通信部１００には、ＭＰ上位交換装置２０から、各パケットデータ（例えば、送信順序情報１から４に対応する各パケットデータ）が送信される。上記各パケットデータは、第２制御部１０３を介して、生成部１０１に送られる（Ｓ４０）。この際、生成部１０１には、ＭＰ下位交換装置３１のマルチキャスト送信先の装置数が送られる。
【０１３４】
生成部１０１は、ＭＰ下位交換装置３１に送信された各パケットデータと、ＭＰ下位交換装置３１のマルチキャスト送信先の装置数とに基づいて、無線スロットデータを含むパケットデータを、複数生成する（Ｓ４２）。この際、生成部１０１は、各パケットデータのヘッダ情報の変換処理を行う。具体的な説明は、上述したとおりである。そして、生成部１０１は、変換処理を施した各パケットデータを、第２制御部１０３に送る。第２制御部１０３は、各パケットデータを移動端末側通信部１０２に送る。
【０１３５】
移動端末側通信部１０２は、各パケットデータのヘッダ情報と、保持している送信タイミング情報とに基づいて、生成部１０１により生成された各パケットデータを、決定部２０ｂにより決定されたＭＰ下位交換装置３１に対応する送信タイミングに基づいて、ＭＰ下位交換装置３１に接続されている複数の装置（基地局４２、４３）に送信する（Ｓ４４）。
【０１３６】
各パケットデータが送信された各基地局と、各無線スロットデータが送信された移動端末５０とにおいては、以下の処理が行われる。図１２は、その処理を説明するためのフローチャート図である。
【０１３７】
各基地局４２，４３，４４の通信端末側通信部１１０は、決定部２０ｂにより決定された受信タイミングに基づいて、送信されてきたパケットデータを受信する（Ｓ５０）。また、移動端末側通信部１１１は、決定部２０ｂにより決定された送信タイミングに基づいて、移動端末５０に対して、無線スロットデータを送信する（Ｓ５２）。
【０１３８】
移動端末５０では、以下の処理が行われる。移動端末５０の通信部５０ａは、決定部２０ｂにより決定された受信タイミング（１つの同じ受信タイミング）に基づいて、各基地局４２，４３，４４から送信されてきた無線スロットデータを受信する（Ｓ５４）。受信された各無線スロットデータは、制御部５０ｂに送られる。制御部５０ｂは、複数の基地局４２，４３，４４から送信された複数の無線スロットデータに基づいて、上記送信対象パケットデータを生成する（Ｓ５６）。
【０１３９】
（作用効果）
本実施の形態においては、例えば、ＭＰ上位交換装置２０の決定部２０ｂは、移動端末５０によるデータ受信のタイミングが、複数の基地局４２，４３，４４との間で、相互に同じになるように、各交換装置（マルチキャスト送信を行う交換装置）が、上記交換装置と接続されている複数の装置にパケットデータを送信するタイミングを示す送信タイミングをそれぞれ決定することができる。そして、上記各交換装置の移動端末側送信部は、それぞれ、決定部２０ｂにより決定された送信タイミングに基づいて、上記交換装置と接続されている複数の装置に対して、上記パケットデータを送信することができる。
【０１４０】
このため、移動端末５０が複数の基地局４２，４３，４４との間で無線通信を行う場合（ソフトハンドオーバー状態）、移動端末５０と通信端末装置１０との間のデータ通信の際に、複数の交換装置がマルチパス通信処理を行うことができるので、ネットワークリソースの無駄な消費が防止される。
【０１４１】
また、通信端末装置１０から移動端末５０宛に送信されたデータは、マルチキャスト送信を行う各交換装置に送信される。マルチキャスト送信を行う各交換装置は、決定部２０ｂにより決定された送信タイミングに基づいて、上記交換装置と接続されている複数の装置に対して、上記パケットデータを送信することができる。これにより、複数の交換装置がマルチキャスト送信を行う場合においても、各基地局４２，４３，４４から送信されたデータを、移動端末５０は、同じタイミングで受信することができる（ハンドオーバー処理の実現が可能になる）。
【０１４２】
従って、本実施の形態によれば、移動端末５０と通信端末装置１０との間のデータ通信において、移動端末５０が複数の基地局４１，４２．．．との間で無線通信を行う場合、ネットワークリソースの無駄な消費が防止されるとともに、移動端末５０が各基地局からデータを受信するタイミングが相互に同じになる。
【０１４３】
上述の効果を得るために、具体的には、マルチキャスト送信を行う各交換装置は、それぞれ、対応する処理（ハンドオーバー制御に関する処理）を行う必要がある。本実施の形態では、一例として、マルチキャスト送信を行う各交換装置が、それぞれ以下のような処理を行うようにしている。
【０１４４】
本実施の形態では、マルチキャスト送信を行う複数の交換装置のうち、ＭＰ上位交換装置２０は、以下の処理を行う。ＭＰ上位交換装置２０は、通信端末装置１０から送られたパケットデータである送信対象パケットデータと、ＭＰ上位交換装置２０のマルチキャスト送信先の装置数とに基づいて、複数の無線スロットデータを生成する。また、ＭＰ上位交換装置２０は、各無線スロットデータをそれぞれ含む各パケットデータを生成し、生成した各パケットデータを、決定部２０ｂにより決定されたＭＰ上位交換装置２０に対応する送信タイミングに基づいて、ＭＰ上位交換装置２０に接続されている複数の装置に送信する。
【０１４５】
また、本実施の形態では、マルチキャスト送信を行う複数の交換装置のうち、ＭＰ下位交換装置３１は、送信された各パケットデータと、ＭＰ下位交換装置３１のマルチキャスト送信先の装置数とに基づいて、無線スロットデータを含むパケットデータを、複数、生成する。そして、ＭＰ下位交換装置３１は、生成した各パケットデータを、決定部２０ｂにより決定されたＭＰ下位交換装置３１に対応する送信タイミングに基づいて、ＭＰ下位交換装置３１に接続されている複数の装置に送信する。
【０１４６】
このように、マルチキャスト送信を行う各交換装置が、それぞれに対応する処理を行うことにより、上記複数の基地局４２、４３，４４が、移動端末５０に、各パケットデータにそれぞれ含まれる各無線スロットデータを送信した場合、移動端末５０は、各基地局から送信されたデータを、同じタイミングで受信することができる。また、移動端末５０は、各基地局４２，４３、４４から送信された複数の無線スロットデータに基づいて、上記送信対象パケットデータを生成することができる。
【０１４７】
この結果、移動端末５０と通信端末装置１０との間のデータ通信において、移動端末５０が複数の基地局との間で無線通信を行う場合、ネットワークリソースの無駄な消費が防止されるとともに、移動端末５０が各基地局からデータを受信するタイミングが相互に同じになる。
【０１４８】
（変形例１）
上述した実施の形態は、以下のように変形することができる。なお、本変形例において、実施の形態と同じ構成、機能については、その説明を省略する。また、実施の形態と同じ構成については、同一符号を付す。図１に示すように、通信端末装置１０から移動端末５０へのデータ送信において、通信システムは、１つのＭＰ上位交換装置２０と、１つのＭＰ下位交換装置３１と、マルチキャスト送信を行わない下位交換装置３１と、複数の基地局４２，４３，４４と、複数の基地局４２，４３、４４と無線通信を行う移動端末５０とを有する場合の説明を一例として、行う。
【０１４９】
基地局４２，４３、４４の制御部１１２と、ＭＰ下位交換装置３１の第２制御部１０３は、通信端末側通信部１００が各パケットデータを受信したタイミングと、決定部２０ｂにより決定された上記各パケットデータの受信タイミングとを比較し、差があるか否かを判断する。
【０１５０】
具体的には、以下のとおりである。例えば、基地局４２、４３，４４の制御部１１２には、通信端末装置１０から移動端末５０宛のパケットデータの受信タイミングＹ１を示す情報が送られる。また、ＭＰ下位交換装置３１の第２制御部１０３には、通信端末装置１０から移動端末５０宛のパケットデータの受信タイミングＹ２を示す情報が送られる。受信タイミングＹ１は、例えば、ｙ１＋ｎＴ（ｙ１は、所定の時刻タイミング、ｎは整数、Ｔは周期）であり、受信タイミングＹ２は、例えば、ｙ２＋ｎＴ（ｙ２は、所定の時刻タイミング、ｎは整数、Ｔは周期）であるとする。ここで、Ｙ１のＴとＹ２のＴは、同じ値である。そして、ｎは、送信対象情報に対応する値である。
【０１５１】
そして、基地局４２，４３、４４の制御部１１２及びＭＰ下位交換装置３１の第２制御部１０３は、通信端末側通信部が１つのパケットデータ（通信端末装置１０から移動端末５０宛のパケットデータ）を受信した場合、上記パケットデータに含まれる送信順序情報と、通信端末側通信部が、上記パケットデータを受信した時刻である受信時刻を取得する。そして、基地局４２，４３、４４の制御部１１２及びＭＰ下位交換装置３１の第２制御部１０３は、取得した送信順序情報に対応する受信タイミング（通信端末装置１０から移動端末５０宛のパケットデータの受信タイミング）と、取得した受信時刻とを比較し、差があるか否かを判断する。
【０１５２】
差があると判断した場合には、基地局４２，４３、４４の制御部１１２（差分情報生成部）及びＭＰ下位交換装置３１の第２制御部１０３（差分情報生成部）は、上記差を示す差分情報を生成する。
【０１５３】
そして、基地局４２、４３、４４の制御部１１２は、通信端末側通信部１１０を介して、上記差分情報を、通信端末装置側に接続された所定の交換装置（例えば、ＭＰ下位交換装置３１）に送信する。この際、差分情報には、基地局の識別情報が与えられる。
【０１５４】
同じく、ＭＰ下位交換装置３１の第２制御部１０３は、通信端末側通信部１００を介して、上記差分情報を、通信端末装置側に接続された所定の交換装置（例えば、ＭＰ上位交換装置２０）に送信する。この際、差分情報には、ＭＰ下位交換装置３１の識別情報が与えられる。
【０１５５】
所定の交換装置（ＭＰ上位交換装置２０又はＭＰ下位交換装置３１）の第２制御部は、上記差分情報を取得した場合、上記差分情報に対応づけられている所定の装置（ＭＰ下位交換装置３１又は基地局）の識別情報を取得する。
【０１５６】
そして、第２制御部２０ｆ、１０３は、上記所定の装置が、決定部２０ｂにより決定された受信タイミング（通信端末装置１０から移動端末５０宛のパケットデータの受信タイミング）でパケットデータを受信できることに対応する所定の送信タイミング（通信端末装置１０から移動端末５０宛のパケットデータの送信タイミング）で、パケットデータを上記所定の装置に送信するように、通信端末側通信部２０ｄ、１０２に指示する。通信端末側通信部は、所定の送信タイミングで、パケットデータを上記所定の装置に送信する。
【０１５７】
具体的には、以下のとおりである。例えば、差分情報が時間ｐ（実際に受信したタイミングの方が決定部２０ｂにより決定された受信タイミングより時間ｐだけ遅い）であり、差分情報に対応する装置の識別情報は、基地局４２の識別情報であるとする。
【０１５８】
この場合、所定の交換装置は、ＭＰ下位交換装置３１となる。そして、ＭＰ下位交換装置３１の第２制御部１０３は、上記基地局４２にパケットデータを送信するタイミング（通信端末装置１０から移動端末５０宛のパケットデータの送信タイミング）がｗ３（＝ｙ３＋ｎＴ）であることを示す情報を保持しているとする。
【０１５９】
この場合、ＭＰ下位交換装置３１の第２制御部１０３は、決定部２０ｂにより決定された受信タイミング（通信端末装置１０から移動端末５０宛のパケットデータの受信タイミング）で基地局４２がパケットデータを受信できることに対応する所定の送信タイミング（通信端末装置１０から移動端末５０宛のパケットデータの送信タイミング）として、例えば、（ｙ３−ｐ）＋ｎＴを算出する。
【０１６０】
そして、ＭＰ下位交換装置３１の第２制御部１０３は、上記所定の送信タイミングで、パケットデータを送信するように、移動端末側通信部１０２に指示する。これにより、基地局４２は、パケットデータを時間ｐだけ早く受信することになり、決定部２０ｂにより決定された受信タイミングでパケットデータを受信することができる。
【０１６１】
本変形例によれば、以下のような作用効果が得られる。通信端末装置１０から移動端末５０へのデータ送信においては、時間が経過するに従い、各装置における処理負荷の変化や、各通信経路における伝送負荷の変化が起こる場合がある。このような場合、移動端末５０と無線通信を行う基地局やＭＰ下位交換装置は、決定部２０ｂで決定された受信タイミングでパケットデータを受信できないことがある。
【０１６２】
本変形例では、移動端末５０と無線通信を行う基地局やＭＰ下位交換装置３１は、実際にパケットデータを受信したタイミングと、決定部２０ｂにより決定された受信タイミングとの差を示す差分情報を生成することができる。そして、生成された差分情報は、所定の装置（上記ＭＰ下位交換装置３１）と、通信端末装置側に接続された所定のＭＰ交換装置（ＭＰ下位交換装置３１又はＭＰ上位交換装置２０）に送信される。
【０１６３】
そして、所定のＭＰ交換装置は、所定の装置から差分情報を取得する。なお、所定のＭＰ交換装置が、例えば、ＭＰ上位交換装置２０の場合には、所定の装置は、基地局４４又はＭＰ下位交換装置３１であり、所定のＭＰ交換装置が、ＭＰ下位交換装置３１の場合には、所定の装置は、基地局４２又は基地局４３である。そして、所定のＭＰ交換装置は、差分情報に基づいて、所定の送信タイミング（所定の装置が決定部２０ｂにより決定された受信タイミングでパケットデータを受信できることに対応する所定の送信タイミング）で、パケットデータを所定の装置に送信することができる。この結果、所定の装置は、決定部２０ｂで決定された受信タイミングで、パケットデータを受信することができる。
【０１６４】
従って、本変形例では、基地局やＭＰ下位交換装置による実際の受信タイミングが決定部２０ｂにより決定された受信タイミングからずれてしまっても、迅速に、上記実際の受信タイミングが、決定部２０ｂにより決定された受信タイミングに戻される。
【０１６５】
（変形例２）
また、上述した変形例１は、上記所定の交換装置がＭＰ下位交換装置である場合、以下のように変形してもよい。本変形例では、一例として、所定の装置が基地局４２であり、上記所定の交換装置がＭＰ下位交換装置３１である場合の説明を行う。
【０１６６】
所定の交換装置（ＭＰ下位交換装置３１）の移動端末側通信部１０２が、上記所定の送信タイミングで、パケットデータを所定の装置（例えば、基地局４２）に送信できない場合、移動端末側通信部１０２は、その旨を示す送信不能情報を、上記所定の交換装置と通信端末装置１０側に接続された交換装置である端末側交換装置（例えば、ＭＰ上位交換装置２０）に送信する。
【０１６７】
この処理の具体的な一例は、以下のとおりである。例えば、ＭＰ下位交換装置３１の受信タイミング（決定部２０ｂにより決定された受信タイミング）から、パケットデータ処理時間（上記ＭＰ下位交換装置３１のパケットデータ処理時間）を経過するタイミングを示す所定タイミングより、上記所定の送信タイミングが、早い場合には、ＭＰ下位交換装置３１の移動端末側通信部１０２は、上記所定の送信タイミングで、パケットデータを基地局４２に送信できない。
【０１６８】
このような場合には、ＭＰ下位交換装置３１の第２制御部１０３は、上記所定の送信タイミングでパケットデータを送信できないことを示す送信不能情報を生成する。この送信不能情報には、上記所定タイミングと上記所定の送信タイミングとの差を示す差分情報も含まれる。この際、送信不能情報には、ＭＰ下位交換装置３１の識別情報が与えられる。そして、ＭＰ下位交換装置３１の第２制御部１０３の指示に基づいて、通信端末側通信部１００は、上記送信不能情報をＭＰ上位交換装置２０（端末側交換装置）に送信する。
【０１６９】
ＭＰ上位交換装置２０（端末側交換装置）の移動端末側通信部２０ｄは、送信不能情報に基づいて、以下の処理を行う。上記移動端末側通信部２０ｄは、上記移動端末側通信部１０２が所定の送信タイミングでパケットデータを所定の装置（基地局４２）に送信できることに対応する送信タイミング（通信端末装置１０から移動端末５０宛のパケットデータの送信タイミング）で、パケットデータを所定の交換装置（上記ＭＰ下位交換装置３１）に送信する。
【０１７０】
具体的には、以下のとおりである。例えば、送信不能情報に含まれる差分情報が時間ｑであり、送信不能情報に対応する所定の交換装置の識別情報は、ＭＰ下位交換装置３１の識別情報であり、所定の装置は基地局４２．．．であり、端末側交換装置は、ＭＰ上位交換装置２０であるとする。そして、ＭＰ上位交換装置２０の第２制御部２０ｆは、ＭＰ下位交換装置３１へパケットデータを送信するタイミング（通信端末装置１０から移動端末５０宛のパケットデータの送信タイミング）がｗ１（ｙ１＋ｎＴ）であることを保持しているとする。
この場合、ＭＰ上位交換装置２０の第２制御部２０ｆは、保持している送信タイミングを示す情報と、差分情報とに基づいて、以下の処理を行う。即ち、第２制御部２０ｆは、ＭＰ下位交換装置３１の移動端末側通信部１０２が上記所定の送信タイミングでパケットデータを基地局４２に送信できることに対応する送信タイミングとして、（ｙ１−ｑ）＋ｎＴを算出する。
【０１７１】
そして、ＭＰ上位交換装置２０の第２制御部２０ｆは、上記送信タイミングで、パケットデータを送信するように、移動端末側通信部２０ｄに指示する。これにより、ＭＰ下位交換装置３１は、パケットデータを時間ｑだけ早く受信することになり、上記所定の送信タイミングで、パケットデータを基地局４２に送信することができる。
【０１７２】
本変形例によれば、以下のような作用効果が得られる。差分情報を取得した所定のＭＰ下位交換装置３１において、上述した所定の送信タイミングで、パケットデータを所定の装置（例えば、基地局４２）に送信できない場合がある。このような場合、ＭＰ下位交換装置３１は、通信端末装置１０側に接続されたＭＰ交換装置である端末側交換装置（例えば、ＭＰ上位交換装置２０）に、送信不能情報を送信することができる。
【０１７３】
そして、端末側交換装置は、送信不能情報に基づいて、ある送信タイミング（ＭＰ下位交換装置３１が所定の送信タイミングでパケットデータを所定の装置（基地局４２）に送信できることに対応する送信タイミング）で、パケットデータを上記ＭＰ下位交換装置３１に送信することができる。
【０１７４】
この結果、所定の交換装置（ＭＰ下位交換装置３１）は、所定の送信タイミングで、パケットデータを、所定の装置（例えば、基地局４２）に送信することができる。これにより、所定の装置（例えば、基地局４２）は、決定部２０ｂで決定された受信タイミングで、パケットデータを受信することができる。
【０１７５】
従って、本変形例では、基地局やＭＰ下位交換装置による実際の受信タイミングが決定部２０ｂにより決定された受信タイミングからずれてしまっても、変形例１に比べて確実に、実際の受信タイミングを決定部２０ｂにより決定された受信タイミングに戻すことができる。
【０１７６】
（変形例３）
上述した実施の形態は、以下のように変形することにより、移動端末５０は、複数の基地局４２、４３，４４を介して、通信端末装置１０へのデータ送信を行うことができる。
【０１７７】
なお、本変形例においては、既に、各交換装置のうち、マルチキャスト送信を行う交換装置は決定されている。また、通信情報も、各交換装置に送信されている。ここで、実施の形態で示したマルチキャスト送信を行う交換装置（ＭＰ上位交換装置２０、ＭＰ下位交換装置３１，３２）は、移動端末５０側に接続された複数の装置からパケットデータを受信し、直接、通信端末側に接続された装置に、上記パケットデータを送信する。
【０１７８】
また、本変形例において、実施の形態と同じ構成、機能については、その説明を省略する。また、実施の形態と同じ構成については、同一符号を付す。本変形例では、移動端末５０から通信端末装置１０へのデータ送信において、通信システムは、１つのＭＰ上位交換装置２０と、１つのＭＰ下位交換装置３１と、１つのＵＰ下位交換装置３２と、複数の基地局４１，４２．．．と、複数の基地局４２、４３、４４と無線通信を行う移動端末５０とを有する場合の説明を一例として、行う。
【０１７９】
本変形例においては、移動端末５０の制御部５０ｂの機能、基地局の制御部１１２の機能、基地局の通信端末側通信部１１０の機能、ＭＰ下位交換装置３１の第２制御部１０３の機能、ＭＰ下位交換装置３１の通信端末側通信部１００の機能、ＭＰ上位交換装置２０の第２制御部２０ｆの機能、ＭＰ上位交換装置２０の通信端末側通信部２０ａの機能が、実施の形態とは、以下のように異なる。
【０１８０】
なお、本変形例においても、本実施の形態では、一例として、上位交換装置と基地局との間の通信経路には、１つの下位交換装置が含まれている場合の説明が行われる。
【０１８１】
以下、本変形例の通信システムを用いた通信方法（通信システムの動作）の説明を行う。図１３は、本変形例の通信方法を説明するためのフローチャート図である。
【０１８２】
移動端末５０の制御部５０ｂ（無線スロット生成部）は、通信端末装置１０に送信する対象のパケットデータである送信対象パケットデータと、上記複数の基地局４２、４３，４４の数（例えば、３つ）とに基づいて、各無線スロットデータを、送信順序を示す送信順序情報と対応づけて、生成する（Ｓ１００）。
【０１８３】
具体的には、以下のとおりである。移動端末５０の制御部５０ｂは、移動端末５０が無線通信を行う基地局４２、４３，４４の識別情報と、上記基地局の数を保持している。そして、制御部５０ｂは、送信対象パケットデータを、所定数に分割することにより、所定数の無線スロットデータを生成する。この際、制御部５０ｂは、生成した各無線スロットデータに対して、それぞれ、送信順序を示す情報である送信順序情報を与える。そして、制御部５０ｂは、所定数の無線スロットデータを、上記基地局４２，４３，４４の数だけ、生成する。
【０１８４】
例えば、上記基地局の数が３であり、所定数が４の場合、制御部５０ｂは、送信対象パケットデータから、４つの無線スロットデータを生成する。そして、各無線スロットデータには、送信順序情報（１、２，３，４）が与えられる。そして、制御部５０ｂは、生成した４つの無線スロットデータの複製処理を行う。
【０１８５】
制御部５０ｂは、生成した各所定数の無線スロットデータを、それぞれ、通信部５０ａを介して、各基地局４２，４３，４４に送信する。この際、各無線スロットデータには、宛先情報（通信端末装置１０の識別情報）と、送信元装置である移動端末５０を特定する情報とが与えられる。
【０１８６】
各基地局４２，４３，４４では、以下の処理が行われる。各基地局４２，４３，４４の制御部５０ｂは、所定数の無線スロットデータを取得した場合、無線スロットデータと、上記無線スロットデータの受信品質を示す信頼度情報とを含むパケットデータを、無線スロットデータごとに生成する（Ｓ１０２）。
【０１８７】
具体的には、以下のとおりである。各基地局４２，４３，４４の制御部１１２は、移動端末側通信部１１１から送られた無線スロットデータの受信品質（例えば、ビット誤りの有無、受信ＳＩＲなど）を、無線スロットデータごとに監視する。そして、各基地局４２，４２，４４の制御部１１２は、監視した受信品質に対応する信頼度情報を、無線スロットデータごとに生成する。そして、制御部１１２は、無線スロットデータと、この無線スロットデータに対応する信頼度情報とを含むパケットデータを、無線スロットデータごとに生成する。
【０１８８】
この際、各パケットデータには、宛先装置（交換装置）の識別情報と、データ送信は移動端末５０から通信端末装置１０へのデータ送信であることを示す情報と、通信端末装置１０の識別情報と、移動端末５０を特定する情報が含まれる。各パケットデータは、通信端末側通信部１１０に送られる。
【０１８９】
そして、各基地局４２，４３、４４の通信端末側通信部１１０は、制御部（パケット生成部）１１２により生成された複数のパケットデータを、上記基地局４２、４３、４４に接続されている交換装置に送信する（Ｓ１０４）。即ち、基地局４２，４３の制御部１１２は、上記所定数のパケットデータを、ＭＰ下位交換装置３１に送る。基地局４４の制御部１１２は、上記所定数のパケットデータを、下位交換装置３２を介して、ＭＰ上位交換装置２０に送る。
【０１９０】
ＭＰ下位交換装置３１に、複数の装置（基地局４２，４３）から各パケットデータが送信された場合、上記ＭＰ下位交換装置３１の第２制御部１０３は、上記各パケットデータにそれぞれ含まれる各無線スロットデータのうち、上記各パケットデータに対応づけられた送信順序情報と信頼度情報とに基づいて、複数の無線スロットデータを選択する（Ｓ１０６）。
【０１９１】
具体的には、例えば、以下のとおりである。図１４は、ＭＰ下位交換装置３１における処理を説明するための補足図である。ＭＰ下位交換装置３１の第２制御部１０３には、基地局４２、４３から、上記所定数のパケットデータがそれぞれ送られる（Ｓ１０６０）。
【０１９２】
第２制御部１０３は、各パケットデータに含まれる無線スロットデータをそれぞれ取得する。そして、第２制御部１０３は、各送信順序情報ごとに以下の処理を行う。第２制御部１０３は、同じ送信順序情報に対応する２つの無線スロットデータに対応する信頼度情報を比較し、信頼度情報の高い無線スロットデータを選択する（Ｓ１０６２）。
【０１９３】
そして、第２制御部１０３は、すべての送信順序情報（１から４）に対応する無線スロットデータを選択した場合、選択した無線スロットデータと、これに対応する信頼度情報とを含むパケットデータを、選択した無線スロットデータごとに生成する（Ｓ１０６４）。この際、各パケットデータには、宛先装置（ＭＰ上位交換装置２０）の識別情報と、データ送信は、移動端末５０から通信端末装置１０へのデータ送信であることを示す情報と、通信端末装置１０の識別情報と、移動端末５０を特定する情報が含まれる。
【０１９４】
そして、第２制御部１０３は、通信端末側通信部１００に各パケットデータを、上記ＭＰ上位交換装置２０に送信するように指示する。通信端末側通信部１００は、第２制御部１０３により選択された各無線スロットデータをそれぞれ含む各パケットデータを、上記ＭＰ上位交換装置２０に送信する（Ｓ１０８）。
【０１９５】
ＭＰ上位交換装置２０に、複数の装置（ＭＰ下位交換装置３１，基地局４４）から各パケットデータが送信された場合、ＭＰ上位交換装置２０の第２制御部２０ｆは、上記各パケットデータにそれぞれ含まれる各無線スロットデータのうち、各パケットデータに対応づけられた送信順序情報と信頼度情報とに基づいて、複数の無線スロットデータを選択する（Ｓ１１０）。
【０１９６】
図１５は、ＭＰ上位交換装置２０における処理を説明するための補足図である。図１５において、ステップＳ１０６５、ステップＳ１０６６では、それぞれ、ステップＳ１０６０、Ｓ１０６２に対応する処理が行われる。そして、第２制御部２０ｆが、すべての送信順序情報に対応する無線スロットデータを選択した場合、以下の処理が行われる。
【０１９７】
そして、第２制御部２０ｆは、選択した複数の無線スロットデータに基づいて、送信対象パケットデータを生成する（Ｓ１１２）。具体的には、第２制御部２０ｆは、選択したすべての送信順序情報（例えば、図１５に示す１から４）に対応する無線スロットデータを組み合わせることにより、送信対象パケットデータを生成する。そして、第２制御部２０ｆは、送信対象パケットデータを、通信端末装置１０に送信するように通信端末側通信部２０ａに指示する。通信端末側通信部２０ａは、送信対象パケットデータを、送信対象パケットデータに含まれる宛先情報（通信端末装置１０の識別情報）に基づいて、例えば、公衆ネットワークを介して、通信端末装置１０に送信する（Ｓ１１４）。
【０１９８】
本変形例によれば、以下のような作用効果が得られる。移動端末５０から通信端末装置１０へのデータ送信の場合において、移動端末５０が複数の基地局４２、４３、４４と通信を行うときでも、複数の交換装置（ＭＰ上位交換装置２０、ＭＰ下位交換装置３１）は、複数の装置から送られたパケットデータを直接、移動端末５０側に接続された装置に送信することができる。例えば、ＭＰ下位交換装置３１は、複数の基地局４２、４３から送られたパケットデータを直接、移動端末５０側に接続されたＭＰ上位交換装置２０に送信するができるとともに、ＭＰ上位交換装置２０は、複数の装置から送られたパケットデータを直接、公衆ネットワークを介して、通信端末装置１０に送信することができる。
【０１９９】
このため、本変形例によれば、移動端末５０から通信端末装置１０へのデータ送信の場合において、移動端末５０が複数の基地局４２、４３，４４と無線通信を行うとき、ネットワークリソースの無駄な消費が防止される。
【０２００】
また、基地局４２、４３，４４では、無線スロットデータと、上記無線スロットデータの受信品質を示す信頼度情報とを含むパケットデータを、無線スロットデータごとに、生成し、複数のパケットデータを、ＭＰ交換装置（ＭＰ下位交換装置３１又はＭＰ上位交換装置２０）に送信する。
【０２０１】
そして、各ＭＰ交換装置では、送信されてきた各パケットデータを取得した場合、各パケットデータにそれぞれ含まれる各無線スロットデータのうち、上記各パケットデータに対応づけられた送信順序情報と信頼度情報とに基づいて、例えば、高い信頼度情報に対応する複数の無線スロットデータを選択することができる。そして、各ＭＰ交換装置は、選択した各無線スロットデータをそれぞれ含む各パケットデータを、移動端末５０側に接続されている装置（例えば、ＭＰ上位交換装置２０）に送信することができる。このため、ＭＰ下位交換装置３１は、通信品質の良好な各スロットデータを生成し、送信することができる。
【０２０２】
そして、ＭＰ上位交換装置２０は、送信されてきた各パケットデータを取得した場合、各パケットデータにそれぞれ含まれる各無線スロットデータのうち、各パケットデータに対応づけられた送信順序情報と信頼度情報とに基づいて、以下の処理を行うことができる。ＭＰ上位交換装置２０は、例えば、高い信頼度情報に対応する複数の無線スロットデータを選択し、選択した複数の無線スロットデータに基づいて、送信対象パケットデータを生成することができる。そして、この送信対象パケットデータは、通信端末装置１０に送られる。
【０２０３】
このため、本変形例によれば、移動端末５０から送られたデータが通信端末装置１０宛に送信される場合、通信端末装置１０が取得できるデータの通信品質が良好になる。
【０２０４】
（変形例４）
上述した変形例３は、以下のように変形してもよい。例えば、ＭＰ上位交換装置２０の第２制御部２０ｆに、複数の装置から各パケットデータが送信された場合、第２制御部２０ｆは、上記各パケットデータを取得する。そして、各パケットデータにそれぞれ含まれる各無線スロットデータのうち、所定の送信順序情報に対応するすべての無線スロットデータの信頼度情報が低い場合には、例えば、第２制御部２０ｆは、上記所定の送信順序情報に対応する無線スロットデータを選択できないようにしてもよい。
【０２０５】
このような場合には、ＭＰ上位交換装置２０は、以下のような機能を有する。なお、上記所定の送信順序情報に対応する無線スロットデータが、第２制御部２０ｆに送られなかったような場合でも、ＭＰ上位交換装置２０は、以下のような機能を有しても良い。また、移動端末５０の制御部５０ｂは、生成した所定数の無線スロットデータを、送信順序情報と対応づけて保持している。制御部５０ｂは、ＭＰ上位交換装置２０からの再送要求（後述する）が送られると予想される時間の間、上記保持処理を行う。
【０２０６】
ＭＰ上位交換装置２０の第２制御部２０ｆ（第２選択部）が、上記各パケットデータにそれぞれ含まれる各無線スロットデータのうち、所定の複数の無線スロットデータを選択するとともに、所定の送信対象情報に対応する無線スロットデータを選択できない場合、移動端末側通信部２０ｄは、上記移動端末５０に対して、上記所定の送信対象情報に対応する無線スロットデータの要求（この要求とは、周知の自動再送要求（ＡＲＱ）であり、以下、再送要求という）を送信する。
【０２０７】
具体的には、以下のとおりである。図１６は、本変形例のＭＰ上位交換装置２０の処理の説明を補足するための図である。図１６に示すように、ＭＰ上位交換装置２０の第２制御部２０ｆに、送信順序情報１から４にそれぞれ対応するパケットデータ（無線スロットデータと信頼度情報とを含む）が２つの装置（ＭＰ下位交換装置３１、基地局４４）から、送られたとする（Ｓ１０６０）。
【０２０８】
この場合において、例えば、送信順序情報３に対応する無線スロットデータの信頼度情報が２つとも低いとする。この場合、第２制御部２０ｆは、送信順序情報１、２，４に対応する無線スロットデータをそれぞれ選択し、いったん保持する。一方、第２制御部２０ｆは、送信順序情報３に対応する無線スロットデータは選択できないことを判断する（Ｓ１０７０）。そして、第２制御部２０ｆの指示により、移動端末側通信部２０ｄは、所定の送信順序情報３に対応する無線スロットデータの再送要求を、移動端末５０に送信する（Ｓ１０７２）。
【０２０９】
移動端末５０の制御部５０ｂは、上記再送要求を取得した場合、保持している所定の送信順序情報３に対応する無線スロットデータを、通信部５０ａを介して、ＭＰ上位交換装置２０に送信する。
【０２１０】
上位交換装置２０の第２制御部２０ｆは、移動端末５０から送られた、所定の送信対象情報３に対応する無線スロットデータを取得する。第２制御部２０ｆは、取得した所定の送信対象情報３に対応する無線スロットデータと、保持している無線スロットデータ（既に選択した送信順序情報１，２，４に対応する無線スロットデータ）とに基づいて、以下の処理を行う。即ち、第２制御部２０ｆは、各無線スロットデータ（送信順序情報１，２，３，４に対応する無線スロットデータ）を組み合わせることにより、上記送信対象パケットデータを生成する。そして、変形例３におけるステップＳ１１４の処理が行われる。
【０２１１】
本変形例によれば、ＭＰ上位交換装置２０に送信されてきた各パケットデータのうち、所定の送信順序情報に対応する全ての無線スロットデータの通信品質が悪い場合とか、所定の送信順序情報に対応するパケットデータが送信されなかった場合には、上述した再送要求が移動端末５０に送信される。そして、移動端末５０は、再送要求に基づいて、上記所定の送信順序情報に対応するパケットデータを、ＭＰ上位交換装置２０に送信するので、ＭＰ上位交換装置２０の第２制御部２０ｆは、既に選択した複数の無線スロットデータと、送信されてきた無線スロットデータとに基づいて、送信対象パケットデータを生成することができる。このため、本変形例によれば、変形例３と比較して、通信端末装置１０が取得できるデータの通信品質が一層良好になる。
【０２１２】
（変形例５）
上述した実施の形態、変形例１から４は、以下のように変形することができる。なお、本変形例において、実施の形態、変形例１から４と同一処理については、その説明を省略する。
【０２１３】
上位交換装置２０の機能は、上位ルータ（図示せず）と、上位ルータと回線を介して接続された上位制御機（図示せず）とに分担するようにしてもよい。この場合、上位交換装置２０は、上位ルータと、上位制御機とを有することになる。そして、上位ルータは、移動端末側通信部２０ｄと、第１制御部２０ｇと、通信端末側通信部２０ａと、上位制御機との間でデータ通信を行う制御機側通信部（図示せず）とを有する。
【０２１４】
上位制御機は、上位ルータとの間でデータ通信を行う通信部（図示せず）と、第２制御部２０ｆと、生成部２０ｃと、決定部２０ｂとを有する。同じく、下位交換装置３１，３２の機能は、下位ルータ（図示せず）と、下位ルータと回線を介して接続された下位制御機（図示せず）とに分担するようにしてもよい。この場合、下位交換装置３１，３２は、下位ルータと、下位制御機とを有することになる。そして、下位ルータは、移動端末側通信部１０２と、第１制御部１０４と、通信端末側通信部１００と、下位制御機との間でデータ通信を行う制御機側通信部（図示せず）とを有する。下位制御機は、下位ルータとの間でデータ通信を行う通信部（図示せず）と、第２制御部１０３と、生成部１０１とを有する。
【０２１５】
第１制御部２０ｇ、１０４は、制御機（上位制御機、下位制御機）が行う処理に関するデータを、制御機側通信部を介して、制御機に送信する。また、第１制御部２０ｇ、１０４は、第２制御部２０ｆ、１０３から送られてきたデータを、制御機側通信部を介して、取得する。
【０２１６】
また、実施の形態において、決定部２０ｂは、各基地局（例えば、基地局４２、４３，４４）の受信タイミングを決定した後、以下のような処理を行う。即ち、実施の形態の決定部２０ｂによる決定処理の説明において、以下のような置き換えを行う必要がある。即ち、ＭＰ上位交換装置２０が、ＭＰ上位交換装置２０に含まれる上位制御機に置き換えられ、ＭＰ下位交換装置３１が、ＭＰ下位交換装置３１に含まれる下位制御機に置き換えられ、マルチキャスト送信を行わない下位交換装置３２が、上記下位交換装置３２に含まれるルータに置き換えられ、通信端末側通信部２０ａ，１００及び移動端末側通信部２０ｄ，１０２が、制御機（上位制御機、下位制御機）の通信部に置き換えられる。
【０２１７】
そして、第２制御部２０ｆ，１０３は、決定部２０ｂにより決定された送受信タイミングで、パケットデータを送受信できるように、制御機（上位制御機、下位制御機）の通信部に指示する。
【０２１８】
また、実施の形態の説明において、以下のような置き換えが行われる必要がある。下位交換装置３１，３２の識別情報は、下位ルータの識別情報及び下位制御機の識別情報に置き換えられ、ＭＰ下位交換装置３１の識別情報は、ＭＰ下位交換装置３１の下位制御機の識別情報に置き換えられ、第２制御部が制御する移動端末側通信部及び通信端末側通信部は、制御機（上位制御機、下位制御機）の通信部に置き換えられる。
【０２１９】
また、第２制御部２０ｆ，１０３が管理するデータ処理時間は、制御機（上位制御機、下位制御機）の通信部にデータが受信されてから、制御機の通信部からデータが送信されるまでに要する時間である。
【０２２０】
また、変形例１、２の説明においては、以下のような置き換えが行われる必要がある。ＭＰ下位交換装置３１の移動端末側通信部は、ＭＰ下位交換装置３１の下位制御機の通信部に置き換えられる必要がある。同じく、ＭＰ上位交換装置２０の移動端末側通信部は、ＭＰ上位交換装置２０の上位制御機の通信部に置き換えられる必要がある。そして、ＭＰ下位交換装置３１の識別情報は、ＭＰ下位交換装置３１の下位制御機の識別情報に置き換えられる必要がある。
【０２２１】
また、変形例３、４の説明においては、以下のような置き換えが行われる必要がある。ＭＰ上位交換装置２０は、ＭＰ上位交換装置２０に含まれる上位制御機に置き換えられ、ＭＰ下位交換装置３１は、ＭＰ下位交換装置３１に含まれる制御機に置き換えられ、ＭＰ上位交換装置２０（及びＭＰ下位交換装置３１）の識別情報は、ＭＰ上位交換装置２０（及びＭＰ下位交換装置３１）の上位制御機（及び下位制御機）の識別情報に置き換えられ、第２制御部が制御する移動端末側通信部及び通信端末側通信部は、制御機（上位制御機、下位制御機）の通信部に置き換えられる。
【０２２２】
（変形例６）
上述した実施の形態、各変形例においては、上位交換装置２０と基地局４１，４２．．．との間の通信経路には、１つの下位交換装置３１，３２が含まれている場合の説明が行われたが、本発明は、これに限定されず、上位交換装置２０と基地局４１，４２．．．との間の通信経路には、複数の下位交換装置が含まれていても良い。この場合においても、上述した実施の形態、各変形例の適用が可能である。但し、この場合には、基地局と接続された下位交換装置以外の交換装置（ＭＰ上位交換装置となりうる交換装置）には、上述した決定部２０ｂが設けられる必要がある。
【０２２３】
また、本発明は、マルチキャスト送信を行う交換装置が複数の場合に限定されず、１つの場合でも適用できる。例えば、図１７に示すような場合、移動端末５０は、１つの下位交換装置３１と接続された複数の基地局４２、４３と無線通信を行う。この際、マルチキャスト通信を行う交換装置は、上記１つの下位交換装置３１だけである。この場合、上記１つの下位交換装置３１が、ＭＰ上位交換装置として機能する必要がある。これにより、移動端末５０と通信端末装置１０との間のデータ通信が可能となる。
【０２２４】
また、上述した実施の形態、各変形例では、全ての交換装置（下位交換装置３１，３２、上位交換装置２０）がマルチキャスト通信を行う機能を有していたが、本発明は、特に、この場合に限定されない。例えば、本発明の効果をある程度達成できるように、全ての交換装置のうち、所定数の交換装置だけが、マルチキャスト通信を行う機能を有するようにしてもよい。これにより、通信システムの実現に要するコストを低減させることができる。
【０２２５】
また、上述した実施の形態、各変形例では、決定部２０ｂは、上位交換装置２０に設けられていたが、決定部２０ｂは、例えば、下位交換装置３１，３２にあってもよい。また、決定部２０ｂは、全ての交換装置に具備されていてもよい。そして、全ての交換装置のうち、ＭＰ上位交換装置となる交換装置において、上記決定部２０ｂが起動するようにしてもよい。
【０２２６】
また、決定部２０ｂは、交換装置とは独立した構成である装置内に設けられても良い。この場合には、決定部２０ｂにより決定された各送受信タイミングを示す情報は、ＭＰ上位交換装置２０、ＭＰ下位交換装置３１、各基地局、移動端末５０に送信される必要がある。
【０２２７】
【発明の効果】
以上説明したように、本発明によれば、移動端末と通信端末装置との間のデータ通信において、移動端末が複数の基地局との間で無線通信を行う場合、ネットワークリソースの無駄な消費を防止するとともに、移動端末が各基地局からデータを受信するタイミングを相互に同じにすることができる。
【図面の簡単な説明】
【図１】本実施の形態の通信システムの構成を示す図である。
【図２】本実施の形態の上位交換装置の構成を示す図である。
【図３】本実施の形態の決定部による具体的な処理を説明するための補足図である。
【図４】本実施の形態のＭＰ上位交換装置の生成部による具体的な処理を説明するための補足図である。
【図５】本実施の形態の下位交換装置の構成を示す図である。
【図６】本実施の形態のＭＰ下位交換装置の生成部による具体的な処理を説明するための補足図である。
【図７】本実施の形態の基地局の構成を示す図である。
【図８】本実施の形態の移動端末の構成を示す図である。
【図９】本実施の形態の通信方法の一部を説明するためのフローチャート図である。
【図１０】本実施の形態の通信方法の一部を説明するためのフローチャート図である。
【図１１】本実施の形態の通信方法の一部を説明するためのフローチャート図である。
【図１２】本実施の形態の通信方法の一部を説明するためのフローチャート図である。
【図１３】変形例３の通信システムの動作を説明するためのフローチャート図である。
【図１４】変形例３のＭＰ下位交換装置における処理を説明するための補足図である。
【図１５】変形例３のＭＰ上位交換装置における処理を説明するための補足図である。
【図１６】変形例４のＭＰ上位交換装置における処理を説明するための補足図である。
【図１７】変形例６の通信システムの構成を示す図である。
【図１８】従来技術を説明するための通信システムの構成を示す図である。
【図１９】従来技術を説明するための通信システムの構成を示す図である。
【符号の説明】
１０、２１０…通信端末装置、２０…上位交換装置、２０ａ，１００、１１０…通信端末側通信部、２０ｂ…決定部、２０ｃ、１０１…生成部、２０ｄ，１０２、１１１…移動端末側通信部、２０ｆ、１０３…第２制御部、２０ｇ、１０４…第１制御部、３１，３２…下位交換装置、４１，４２．．、２４１、２４２．．…基地局、５０、２５０…移動端末、５０ａ…通信部、５０ｂ…制御部、２２０…移動加入者交換装置、２３１、２３２…ＲＮＣ。
【図１】
2004229117.tif 000003
【図２】
2004229117.tif 000004
【図３】
2004229117.tif 000005
【図４】
2004229117.tif 000006
【図５】
2004229117.tif 000007
【図６】
2004229117.tif 000008
【図７】
2004229117.tif 000009
【図８】
2004229117.tif 000010
【図９】
2004229117.tif 000011
【図１０】
2004229117.tif 000012
【図１１】
2004229117.tif 000013
【図１２】
2004229117.tif 000014
【図１３】
2004229117.tif 000015
【図１４】
2004229117.tif 000016
【図１５】
2004229117.tif 000017
【図１６】
2004229117.tif 000018
【図１７】
2004229117.tif 000019
【図１８】
2004229117.tif 000020
【図１９】
2004229117.tif 000021